(57)【特許請求の範囲】
【請求項１】
第１フォーマット形式により記録された連続性のある音情報、画像情報またはデータのうち少なくとも何れかを含むコンテンツ情報であって当該コンテンツ情報の再生最小単位である1又は２以上の単位情報から構成され、前記単位情報毎に前記コンテンツ情報の再生制御を行う再生制御情報が配されている当該コンテンツ情報のフォーマット形式を当該コンテンツ情報の内容を同一としつつより汎用性が高いフォーマット形式であり、前記コンテンツ情報毎に前記再生制御情報が配されている第２フォーマット形式で再生可能とするために、前記単位情報毎に、前記コンテンツ情報における何れか１つの符号化形式を維持しつつ、前記第２フォーマット形式へ変換する変換手段を備えたことを特徴とするフォーマット変換装置であって、
前記変換手段が、
前記コンテンツ情報の少なくとも再生開始時刻を示すコンテンツ再生開始時刻情報を取得する取得手段と、
前記取得したコンテンツ再生開始時刻情報を前記第２フォーマット形式によって定められた一定の時刻に設定する設定手段と、
前記第２フォーマット形式によって決定される位置に配される前記単位情報以外に配された前記再生制御情報を無効データに変換し、前記単位情報を構成するデータ片を検出する検出手段と、
前記検出した各データ片にデータ片再生開始時刻情報を付加する付加手段と、
を備え、
前記付加手段は更に、
当該データ片が再生される際の再生開始時刻を示す前記データ片再生開始時刻情報が付加されていない場合に、当該データ片に前記データ片再生開始時刻情報を付加し、
前記変換手段は更に、
少なくとも前記各単位情報における再生する際の再生態様を制御する再生態様制御情報を第２フォーマット形式に対応づけて変換することを特徴とするフォーマット変換装置。
【請求項２】
請求項２に記載のフォーマット変換装置であって、
前記付加手段が、前記第２フォーマット形式の再生単位毎に前記データ片を構成させ、当該データ片毎に前記データ片再生開始時刻情報を付加することを特徴とするフォーマット変換装置。
【請求項３】
請求項１又は２に記載のフォーマット変換装置と、
前記フォーマット変換装置によって変換された第２フォーマット形式のコンテンツ情報を記録媒体に記録する記録手段と、
を備えたことを特徴とする情報記録装置。
【請求項４】
第一フォーマット形式により記録された連続性のある音情報、画像情報またはデータのうち少なくとも何れかを含むコンテンツ情報であって当該コンテンツ情報の再生最小単位である１または２以上の単位情報から構成され、前記単位情報毎に前記コンテンツ情報の再生制御を行う再生制御情報が配されている当該コンテンツ情報のフォーマット形式を当該コンテンツ情報の内容を同一としつつより汎用性が高いフォーマット形式であり、前記コンテンツ情報毎に前記再生制御情報が配されている第二フォーマット形式で再生可能とするために前記単位情報毎に、前記コンテンツ情報における何れか１つの符号化形式を維持しつつ、変換する変換工程を備えたことを特徴とするフォーマット変換方法であって、
前記変換工程が、
前記コンテンツ情報の少なくとも再生開始時刻を示すコンテンツ再生開始時刻情報を取得する取得工程と、
前記取得したコンテンツ再生開始時刻情報を前記第２フォーマット形式によって定められた一定の時刻に設定する設定工程と、
前記第２フォーマット形式によって決定される位置に配される前記単位情報以外に配された前記再生制御情報を、無効データに変換し、前記単位情報を構成するデータ片を検出する検出工程と、
前記検出した各データ片にデータ片再生開始時刻情報を付加する付加工程と、
を備え、
前記付加工程はさらに、
当該データ片が再生される際の再生開始時刻を示す前記データ片再生開始時刻情報が付加されていない場合に、当該データ片に前記データ片再生開始時刻情報を付加し、
前記変換工程はさらに、
少なくとも前記各単位情報における再生する際の再生態様を制御する再生態様制御情報を第２フォーマット形式に対応づけて変換することを特徴とするフォーマット変換方法。
【請求項５】
請求項４に記載のフォーマット変換方法であって、
前記付加工程が、前記第２フォーマット形式の再生単位毎に前記データ片を構成させ、当該データ片毎に前記データ片再生開始時刻情報を付加することを特徴とするフォーマット変換方法。
【請求項６】
請求項４又は５に記載のフォーマット変換方法と、
前記フォーマット変換装置によって変換された第２フォーマット形式のコンテンツ情報を記録媒体に記録する記録工程と、
を備えたことを特徴とする情報記録方法。
【発明の詳細な説明】
【０００１】
【発明の属する技術分野】
本発明は、情報記録装置、情報記録方法及び記録制御プログラムの技術分野し、特に、情報を記録する際のフォーマット形式の変換装置に属する。
【０００２】
【従来の技術】
近年、光ディスクの分野における高記録容量化の傾向が顕著であり、これに伴って一本の映画等を圧縮した上で記録する光ディスク（いわゆるＤＶＤ（Digital Versatile Disc））が一般化しつつある。
【０００３】
このような当該高記録容量の光ディスクに映画等の情報（以下、コンテンツ情報という）を記録する場合の記録方式の代表的なものに、いわゆる再生専用ＤＶＤフォーマットと互換性あるビデオ方式と、再生専用のＤＶＤフォーマットとの互換性はないが、当該記録されたコンテンツ情報の編集が容易に行うことが可能であり、実時間に沿って光ディスク上に記録するのに適したビデオレコーディング方式とがある。
【０００４】
ビデオ方式は、一般的には、実時間と無関係に記録されるオーサリング方式によって記録するようになっており、記録すべき情報の再生態様を制御するための再生制御情報（ＤＶＤの規格においてはナビゲーション情報という）を当該コンテンツ情報との対応関係を考慮しつつ、コンテンツ情報の全てについて予めハードディスク上等の別の記録媒体に作成しておき、当該作成した再生制御情報と、これに対応する情報本体（コンテンツ情報）そのものとを纏めて、光ディスク上にディスクアットワンス方式（追記記録不可）で記録するようになっている。
【０００５】
また、当該ビデオ方式は、最近では、オーサリング方式のみならず、実時間に沿ってテレビジョン放送により配信される情報本体を記録することができるようになっており、この場合にはディスクアットワンス方式ではなく、ＤＶＤ−Ｒ（DVD-Recordable。一回のみ記録が可能なＤＶＤ）及びＤＶＤ−ＲＷ（DVD-Re-Recordable。複数回の記録が可能なＤＶＤ）において追記可能なインクリメンタルライト方式、または、ＤＶＤ−ＲＷにおいてのみ追記可能なリストレクテッドオーバライト方式などによって光ディスク上に記録するようになっている。
【０００６】
一方、ビデオレコーディング方式（ＶＲ方式ともいう）は、後述するように任意の単位毎に編集・削除ができるようファイル構造が規格化されており、このファイル構造に基づいて、テレビジョン放送によって配信された情報本体などを受信して実時間に沿って光ディスク上に記録するとともに、当該情報本体に対応する再生制御情報等を生成し、それを当該情報本体とは別ファイルとして光ディスクに記録するようになっている。このため、ビデオレコーディング方式は、当該ファイル構造により、ビデオ方式と異なり、記録されたコンテンツ情報の編集を容易に行うことができるようになっている。
【０００７】
なお、記録可能なＤＶＤであるＤＶＤ−Ｒでは、ビデオ方式を用いての規格が策定されており、ビデオレコーディング方式については、いわゆるアプリケーション規格が策定されつつある段階である。さらに、ＤＶＤ−ＲＷでは、ビデオ方式を用いての規格の他に、ビデオレコーディング方式を用いた規格についても策定されている。
【０００８】
このような状況下において、汎用性の面からビデオ方式の再生が可能な再生専用のＤＶＤフォーマット規格におけるＤＶＤ再生装置において、ビデオレコーディング方式で記録したコンテンツ情報を再生させることが望まれている。
【０００９】
すなわち、ビデオ方式では、再生専用のＤＶＤフォーマットの形式上、具体的には、ＤＶＤ−ＲＯＭ（read  only  memory）用フォーマットなどの他の再生専用のＤＶＤフォーマットとの互換性確保のため、記録された情報本体であるコンテンツ情報の編集を容易に行うことができないファイル構造を有しており、コンテンツ情報の編集等の利便性はビデオレコーディング方式が優れている。しかしながら、ビデオレコーディング方式によって記録されたＤＶＤでは、汎用性の高い再生専用のＤＶＤフォーマット規格におけるＤＶＤ再生装置では再生することができないという問題を有していた。
【００１０】
したがって、ビデオレコーディング方式によって記録されたコンテンツ情報を再生専用のＤＶＤフォーマット規格におけるＤＶＤ再生装置によって再生させるためには、当該ビデオレコーディング方式からビデオ方式にフォーマット変換する必要がある。
【００１１】
これを実現する方法としては、ビデオレコーディング方式によって記録されたコンテンツ情報を、一度デコードし、ベースバンド信号に戻した後に、さらに、ビデオ方式の記録形式にエンコードしてビデオ方式に記録し直す方法がある。
【００１２】
【発明が解決しようとする課題】
しかしながら、このような記録形式の変換方法であっては、コンテンツ情報を一度再生することにより、当該コンテンツ情報の実時間の作業時間が必要となるとともに、ＭＰＥＧ（Moving  Picture  Expert  Group）２方式などのコンテンツ情報の圧縮記録方法上、当該コンテンツ情報のデコードおよびエンコードを繰り返すことによって、音声の劣化および映像の劣化が生じてしまうという問題を有していた。
【００１３】
本発明は、上記の各問題点に鑑みて為されたもので、その課題は、音声及び映像の劣化が生じることなく、高速に記録形式を変換することができる記録方式変換装置を提供することにある。
【００１４】
【課題を解決するための手段】
上記の課題を解決するために、請求項１に記載の発明は、記録用の第１フォーマット形式（ＶＲ方式）により構成されている連続性のある音情報、画像情報またはデータのうち少なくとも何れかを含むコンテンツ情報（ＶＯＢ）のフォーマット形式を当該コンテンツ情報（ＶＯＢ）の内容を同一としつつ再生用の第２フォーマット形式（ビデオ方式）に変換するフォーマット変換装置（３０７）であって、前記コンテンツ情報（ＶＯＢ）における何れか１つの符号化形式（データストリーム）を維持しつつ、前記第１のフォーマット形式（ＶＲ方式）を前記第２のフォーマット形式（ビデオ方式）に変換する変換手段（４００）を備えた構成を有している。
【００１５】
この構成により、請求項１に記載の発明では、コンテンツ情報の内容を同一としつつ、符号化形式を維持した状態で記録用の第１フォーマット形式から再生用の第２フォーマット形式に変換する。
【００１６】
したがって、フォーマット形式の変換の際に連続したコンテンツ情報として再生出力する必要が無い、すなわち、連続する画像情報または音情報に組み立てる必要がないので、高速に、かつ、データ劣化の無いフォーマット変換を行うことができる。
【００１７】
更に、請求項１に記載の発明は、前記連続性のあるコンテンツ情報（ＶＯＢ）が当該コンテンツ情報（ＶＯＢ）の再生最小単位である１または２以上の単位情報（ＶＯＢＵ）から構成され、前記変換手段（４００）が、前記単位情報（ＶＯＢＵ）毎にフォーマット変換する構成を有している。
【００１８】
この構成により、請求項１に記載の発明では、単位情報毎にフォーマット変換を行うことができるので、容易にフォーマット変換の互換性を取ることができる。
【００１９】
更に、請求項１に記載の発明は、前記変換手段（４００）が、前記コンテンツ情報（ＶＯＢ）の少なくとも再生開始時刻を示すコンテンツ再生開始時刻情報（ＳＣＲ）を取得する取得手段（４０２）と、前記取得したコンテンツ再生開始時刻情報（ＳＣＲ）を前記第２フォーマット形式（ビデオ方式）によって定められた一定の時刻に設定する設定手段（４０５）と、を有する構成をしている。
【００２０】
この構成により、請求項１に記載の発明では、コンテンツ再生開始情報を第２フォーマット形式によって定められた一定の時刻に設定する。
【００２１】
したがって、コンテンツ情報における再生開始時刻情報を第２フォーマットに準拠した情報に変換することができるので、第２フォーマット形式によってコンテンツ情報を的確に再生することのできるフォーマット形式に変換することができる。
【００２２】
更に、請求項１に記載の発明は、第１フォーマット形式（ＶＲ方式）においては前記単位情報（ＶＯＢＵ）毎に前記コンテンツ情報（ＶＯＢ）の再生制御を行う再生制御情報（ＰＥＳエクステンション情報）が配され、第２フォーマット形式（ビデオ方式）においては前記コンテンツ情報（ＶＯＢ）毎に前記再生制御情報（ＰＥＳエクステンション情報）が配されている場合に、前記変換手段（４００（４０６））が、前記第２フォーマット形式（ビデオ方式）によって決定される位置に配される前記単位情報（ＶＯＢＵ）以外に配された前記再生制御情報（ＰＥＳエクステンション情報）を、無効データに変換する構成を有している。
【００２３】
この構成により、請求項１に記載の発明では、第２フォーマット形式によって決定される位置に配される再生制御情報を維持しつつ、その他の各単位情報毎に配された再生制御情報を無効データに変換する。
【００２４】
したがって、コンテンツ情報における再生制御を行う再生制御情報を第２フォーマットに準拠した情報に変換することができるので、第２フォーマット形式によってコンテンツ情報を的確に再生することのできるフォーマット形式に変換することができる。
【００２５】
更に、請求項１に記載の発明は、前記変換手段（４００）が、前記単位情報（ＶＯＢＵ）を構成するデータ片（パック）を検出する検出手段（４０３）と、前記検出した各データ片（パック）にデータ片再生開始時刻情報（ＰＴＳ）を付加する付加手段（４０７）と、を有する構成をしている。
【００２６】
この構成により、請求項１に記載の発明では、単位情報を構成するデータ片の再生開始時刻をデータ片毎に付加する。
【００２７】
したがって、第２フォーマットが必ず各データ片毎に再生開始時刻情報を必要とする場合には、各データ片を第２フォーマットに準拠したものに変換することができるので、第２フォーマット形式によってコンテンツ情報を的確に再生することのできるフォーマット形式に変換することができる。
【００２８】
更に、請求項１に記載の発明は、前記付加手段（４０７）が、当該データ片（パック）が再生される際の再生開始時刻を示す前記データ片再生開始時刻情報（ＰＴＳ）が付加されていない場合に、当該データ片（パック）に前記データ片再生開始時刻情報（ＰＴＳ）を付加する構成を有している。
【００２９】
この構成により、請求項１に記載の発明では、単位情報を構成するデータ片の再生開始時刻をデータ片毎に付加する。
【００３０】
したがって、第２フォーマットが必ず各データ片毎に再生開始時刻情報を必要とする場合には、各データ片を第２フォーマットに準拠したものに変換することができるので、第２フォーマット形式によってコンテンツ情報を的確に再生することのできるフォーマット形式に変換することができる。
【００３１】
更に、請求項１に記載の発明は、前記変換手段（４００（４０４、４０８、４１１））が、少なくとも前記各単位情報における再生する際の再生態様を制御する再生態様制御情報（ＲＤＩパック）を第２フォーマット形式（ビデオ方式）に対応づけて変換する構成を有している。
【００３２】
この構成により、請求項１に記載の発明では、各単位情報における再生する再生制御情報を第２フォーマット形式に対応づけて変換する。
【００３３】
したがって、第２フォーマットが必ず各データ片毎に再生開始時刻情報を必要とする場合には、各データ片を第２フォーマットに準拠したものに変換することができるので、第２フォーマット形式によってコンテンツ情報を的確に再生することのできるフォーマット形式に変換することができる。
【００３４】
また、請求項２に記載の発明は、請求項1に記載のフォーマット変換装置（３０７）であって、前記付加手段（４０７）が、再生単位（フレーム）毎に前記データ片（パック）を構成させ、当該データ片（パック）毎に前記データ片再生開始時刻情報を付加する構成を有している。
【００３５】
この構成により、請求項２に記載の発明では、単位情報を構成するデータ片の再生開始時刻をデータ片毎に付加する。
【００３６】
したがって、第２フォーマットが必ず各データ片毎に再生開始時刻情報を必要とする場合には、各データ片を第２フォーマットに準拠したものに変換することができるので、第２フォーマット形式によってコンテンツ情報を的確に再生することのできるフォーマット形式に変換することができる。
【００３７】
また、請求項３に記載の発明は、請求項１又は２に記載のフォーマット変換装置（３０７）と、前記フォーマット変換装置（３０７）によって変換された第２フォーマット形式（ビデオ方式）のコンテンツ情報（ＶＯＢ）を記録媒体（ＤＶＤ）に記録する記録手段（３０７）と、を備えた構成を有している。
【００３８】
この構成により、請求項３に記載の発明では、第１フォーマット形式を第２フォーマット形式に変換したコンテンツ情報を記録媒体に記録する。
【００３９】
すなわち、第１フォーマット形式により記録されたコンテンツ情報を、再生用として汎用性のある第２フォーマット形式として記録媒体に記録することができるとともに、高速に、かつ、データ劣化の無いコンテンツ情報の再生の互換性を確保することができ、ユーザのコンテンツ情報における使用態様を向上させることができる。
【００４０】
また、請求項４に記載の発明では、記録用の第１フォーマット形式（ＶＲ方式）により構成されている連続性のある音情報、画像情報またはデータのうち少なくとも何れかを含むコンテンツ情報（ＶＯＢ）のフォーマット形式を当該コンテンツ情報（ＶＯＢ）の内容を同一としつつ再生用の第２フォーマット形式（ビデオ方式）に変換するフォーマット変換方法であって、前記コンテンツ情報（ＶＯＢ）における何れか１つの符号化形式（データストリーム）を維持しつつ、前記第１のフォーマット形式（ＶＲ方式）を前記第２のフォーマット形式（ビデオ方式）に変換する変換処理工程を含む構成を有している。
【００４１】
この構成により、請求項４に記載の発明では、コンテンツ情報の内容を同一としつつ、符号化形式を維持した状態で記録用の第１フォーマット形式から再生用の第２フォーマット形式に変換する。
【００４２】
したがって、フォーマット形式の変換の際に連続したコンテンツ情報として再生出力する必要が無い、すなわち、連続する画像情報または音情報に組み立てる必要がないので、高速に、かつ、データ劣化の無いフォーマット変換を行うことができる。
【００４３】
更に、請求項４に記載の発明は、前記連続性のあるコンテンツ情報（ＶＯＢ）が当該コンテンツ情報（ＶＯＢ）の再生最小単位である１または２以上の単位情報（ＶＯＢＵ）から構成され、前記変換処理工程においては、前記単位情報（ＶＯＢＵ）毎にフォーマット変換する構成を有している。
【００４４】
この構成により、請求項４に記載の発明では、単位情報毎にフォーマット変換を行うことができるので、容易にフォーマット変換の互換性を取ることができる。
【００４５】
更に、請求項４に記載の発明は、前記変換処理工程においては、前記コンテンツ情報（ＶＯＢ）の少なくとも再生開始時刻を示すコンテンツ再生開始時刻情報（ＳＣＲ）を取得する取得処理工程と、前記取得したコンテンツ再生開始時刻情報（ＳＣＲ）を前記第２フォーマット形式（ビデオ方式）によって定められた一定の時刻に設定する設定処理工程と、を含む構成を有している。
【００４６】
この構成により、請求項４に記載の発明では、コンテンツ再生開始情報を第２フォーマット形式によって定められた一定の時刻に設定する。
【００４７】
したがって、コンテンツ情報における再生開始時刻情報を第２フォーマットに準拠した情報に変換することができるので、第２フォーマット形式によってコンテンツ情報を的確に再生することのできるフォーマット形式に変換することができる。
【００４８】
更に、請求項４に記載の発明は、第１フォーマット形式（ＶＲ方式）においては前記単位情報（ＶＯＢＵ）毎に前記コンテンツ情報（ＶＯＢ）の再生制御を行う再生制御情報（ＰＥＳエクステンション情報）が配され、第２フォーマット形式（ビデオ方式）においては前記コンテンツ情報（ＶＯＢ）毎に前記再生制御情報（ＰＥＳエクステンション情報）が配されている場合に、前記変換処理工程においては、前記第２フォーマット形式（ビデオ方式）によって決定される位置に配される前記単位情報（ＶＯＢＵ）以外に配された前記再生制御情報（ＰＥＳエクステンション情報）を、無効データに変換する構成を有している。
【００４９】
この構成により、請求項４に記載の発明では、第２フォーマット形式によって決定される位置に配される再生制御情報を維持しつつ、その他の各単位情報毎に配された再生制御情報を無効データに変換する。
【００５０】
したがって、コンテンツ情報における再生制御を行う再生制御情報を第２フォーマットに準拠した情報に変換することができるので、第２フォーマット形式によってコンテンツ情報を的確に再生することのできるフォーマット形式に変換することができる。
【００５１】
更に、請求項４に記載の発明は、前記変換処理工程においては、前記単位情報（ＶＯＢＵ）を構成するデータ片（パック）を検出する検出処理工程と、前記検出した各データ片（パック）にデータ片再生開始時刻情報（ＰＴＳ）を付加する付加処理工程と、を含む構成を有している。
【００５２】
この構成により、請求項４に記載の発明では、単位情報を構成するデータ片の再生開始時刻をデータ片毎に付加する。
【００５３】
したがって、第２フォーマットが必ず各データ片毎に再生開始時刻情報を必要とする場合には、各データ片を第２フォーマットに準拠したものに変換することができるので、第２フォーマット形式によってコンテンツ情報を的確に再生することのできるフォーマット形式に変換することができる。
【００５４】
更に、請求項４に記載の発明は、前記付加処理工程においては、当該データ片（パック）が再生される際の再生開始時刻を示す前記データ片再生開始時刻情報（ＰＴＳ）が付加されていない場合に、当該データ片（パック）に前記データ片再生開始時刻情報（ＰＴＳ）を付加する構成を有している。
【００５５】
この構成により、請求項４に記載の発明では、単位情報を構成するデータ片の再生開始時刻をデータ片毎に付加する。
【００５６】
したがって、第２フォーマットが必ず各データ片毎に再生開始時刻情報を必要とする場合には、各データ片を第２フォーマットに準拠したものに変換することができるので、第２フォーマット形式によってコンテンツ情報を的確に再生することのできるフォーマット形式に変換することができる。
【００５７】
更に、請求項４に記載の発明は、前記変換処理工程においては、少なくとも前記各単位情報における再生する際の再生態様を制御する再生態様制御情報（ＲＤＩパック）を第２フォーマット形式（ビデオ方式）に対応づけて変換する構成を有している。
【００５８】
この構成により、請求項４に記載の発明では、各単位情報における再生する再生制御情報を第２フォーマット形式に対応づけて変換する。
【００５９】
したがって、第２フォーマットが必ず各データ片毎に再生開始時刻情報を必要とする場合には、各データ片を第２フォーマットに準拠したものに変換することができるので、第２フォーマット形式によってコンテンツ情報を的確に再生することのできるフォーマット形式に変換することができる。
【００６０】
また、請求項５に記載の発明は、請求項４に記載のフォーマット変換方法であって、前記付加処理工程においては、再生単位（フレーム）毎に前記データ片（パック）を構成させ、当該データ片（パック）毎に前記データ片再生開始時刻情報を付加する構成を有している。
【００６１】
この構成により、請求項５に記載の発明では、単位情報を構成するデータ片の再生開始時刻をデータ片毎に付加する。
【００６２】
したがって、第２フォーマットが必ず各データ片毎に再生開始時刻情報を必要とする場合には、各データ片を第２フォーマットに準拠したものに変換することができるので、第２フォーマット形式によってコンテンツ情報を的確に再生することのできるフォーマット形式に変換することができる。
【００６３】
また、請求項６に記載の発明は、記録用の第１フォーマット形式（ＶＲ方式）により構成されている連続性のある音情報、画像情報またはデータのうち少なくとも何れかを含むコンテンツ情報（ＶＯＢ）のフォーマット形式を当該コンテンツ情報（ＶＯＢ）の内容を同一としつつ再生用の第２フォーマット形式（ビデオ方式）に変換し、当該変換された第２フォーマット形式のコンテンツ情報を記録媒体に記録する情報記録方法であって、請求項１０乃至１７の何れか一項に記載のフォーマット変換方法によって前記第１フォーマット形式（ＶＲ方式）のコンテンツ情報（ＶＯＢ）を前記第２フォーマット形式（ビデオ方式）に変換する変換処理工程と、前記変換された第２フォーマット形式（ビデオ方式）のコンテンツ情報（ＶＯＢ）を記録媒体（ＤＶＤ）に記録する記録処理工程と、を含む構成を有している。
【００６４】
この構成により、請求項６に記載の発明では、第１フォーマット形式を第２フォーマット形式に変換したコンテンツ情報を記録媒体に記録する。
【００６５】
すなわち、第１フォーマット形式により記録されたコンテンツ情報を、再生用として汎用性のある第２フォーマット形式として記録媒体に記録することができるとともに、高速に、かつ、データ劣化の無いコンテンツ情報の再生の互換性を確保することができ、ユーザのコンテンツ情報における使用態様を向上させることができる。
【０１０９】
【発明の実施の形態】
次に、本発明に好適な実施の形態について、図面に基づいて説明する。
【０１１０】
なお、以下に説明する実施の形態は、映画等の情報の記録フォーマット規格であるＤＶＤビデオ規格に則るとともに記録可能記録媒体としてのＤＶＤ−Ｒ／ＲＷに対して画像等の記録・再生を行う情報記録再生装置について本発明を適用した場合の実施の形態である。
【０１１１】
（Ｉ）ＤＶＤビデオ規格
始めに、具体的な実施の形態について説明する前に、実施形態の情報記録装置が記録方式（以下、記録フォーマットという）として対応すべき、ビデオ方式およびビデオレコーディング方式のＤＶＤビデオ規格について、その概要を説明する。
【０１１２】
〔ビデオ方式〕
まず、図１乃至図４を用いてビデオ方式のＤＶＤビデオ規格について説明する。
【０１１３】
なお、図１及び図３は当該ビデオ方式における物理的記録フォーマットを示す図、図２は当該ＤＶＤビデオ規格におけるＧＯＰ（Group  Of  Picture）の構成を示す図、図４は当該ビデオ方式における論理フォーマットを示す図である。
【０１１４】
図１に示すように、ＤＶＤビデオ規格に則って記録情報が記録されているＤＶＤ（具体的には、一回のみ書換可能なＤＶＤ−Ｒ（DVD‐Recordable）又は複数回の書き換えが可能なＤＶＤ−ＲＷ（DVD−Rerecordable）等の記録可能なＤＶＤ）１は、その最内周部にリードインエリアＬＩを有すると共にその最外周部にリードアウトエリアＬＯを有しており、その間に、映像情報及び音声情報が、夫々にＩＤ（識別）番号を有する複数のＶＴＳ（Video  Title  Set）３（ＶＴＳ＃１乃至ＶＴＳ＃ｎ）に分割されて記録されている。
【０１１５】
このＶＴＳ３とは、関連する（それに含まれる音声情報及び副映像情報（映画における字幕等の副映像の情報）の数や、仕様、対応言語等の属性が同じ）タイトル（映画等の、製作者が視聴者に提示しようとする一つの作品）を一まとめにしたセット（纏まり）であり、例えば、ＶＴＳ３には、一本の同じ映画について、異なる言語のセリフ等を有する複数の映画が夫々にタイトルとして、又は、同じ映画であっても劇場版と特別版とが夫々別のタイトルとして記録されている。
【０１１６】
ＶＴＳ３が記録されている領域の直前には、ビデオマネージャ２が記録されるようになっている。このビデオマネージャ２として記録される情報には、ＶＭＧＩ（Video  Maneger  Information）があり、例えば、このＶＭＧＩの情報には、各タイトルの名前を示すメニューや、違法コピー防止のための情報、又は夫々のタイトルにアクセスするためのアクセステーブル並びにこれらの情報のバックアップ情報等、当該ＤＶＤ１に記録される映像情報及び音声情報の全体に係わる情報が含まれている。
【０１１７】
また、ビデオマネージャ２とリードインエリアＬＩとの間には、ＤＶＤ１に記録されている情報全体を識別するためのボリューム情報４と、ビデオマネージャ２及び各ＶＴＳ３におけるデータのファイル構造を示すファイルシステム情報５と、が記録されている。
【０１１８】
各ＶＴＳ３は、先頭にあるコントロールデータ１１と、夫々にＩＤ番号が付与されたコンテンツ情報そのものである複数のオブジェクト（本実施形態では、ビデオ情報であるのでビデオオブジェクト（以下、ＶＯＢという））１０（本発明に係るコンテンツ情報に相当）とから構成されるようになっている。
【０１１９】
また、複数のＶＯＢ１０により構成されている部分をＶＯＢセット（ＶＯＢＳ）という。このＶＯＢセットは、ＶＴＳ３を構成する他のデータであるコントロールデータ１１と、映像情報及び音声情報の実体である複数のＶＯＢ１０の部分とを区別するために当該実体部分について識別するためのものである。
【０１２０】
各ＶＴＳ３の先頭に記録されるコントロールデータ１１には、後述する複数のセルを組み合わせた論理的区分であるプログラムチェインに関する種々の情報であるＰＧＣＩ（Program  Chain  Information）等の情報及びそれらのバックアップ情報であるＶＴＳＩ（Video  Title  Set   Information）が記録されるようになっている。
【０１２１】
また、各ＶＯＢ１０には、制御情報の他に映像情報及び音声情報の実体部分（制御情報以外の映像又は音声そのもの）が記録されるようになっており、コンテンツ情報は、当該複数のＶＯＢ１０に分割されて記録されるようになっている。
【０１２２】
さらに、各ＶＯＢ１０は、夫々にＩＤ番号を有する複数のセル２０により構成されており、複数のセル２０により完結するように構成されている。
【０１２３】
各セル２０は二つのＶＯＢ１０に跨がることはないという特徴を有している。また、各セル２０は、夫々にＩＤ番号を有する複数のＶＯＢユニット（ＶＯＢＵ）３０（本発明の単位情報に相当）により構成されている。
【０１２４】
ＶＯＢユニット３０は、映像情報、音声情報及び副映像情報の夫々を含む単位情報を示し、各ＶＯＢユニット３０は、各ＶＯＢユニット３０に含まれているデータ等を制御対象とする制御情報が格納されているナビゲーション情報を示すパック（以下、単にナビパック（本発明に係る再生態様制御情報に相当）という）４１と、映像情報としてのビデオデータ４２と、音声情報としてのオーディオデータ４３と、副映像情報としてのサブピクチャデータ４４とにより構成されている。ビデオデータ４２としては映像データのみが記録され、オーディオデータ４３としては音声データのみが記録される。また、サブピクチャデータ４４としては副映像としての文字や図形等のグラフィックデータのみが記録される。
【０１２５】
また、各ＶＯＢユニット３０は、再生時間（１のナビパック４１と当該１のナビパック４１に隣接するナビパック４１との間に記録されているデータに対応する再生時間）を０．４秒以上１秒以下の長さになるよう記録されるようになっている。このため、再生時に、ナビパック４１は、０．４秒乃至１秒に１回は必ず検出されるという特徴を有している。
【０１２６】
さらに、各ＶＯＢユニット３０では、ナビパック４１が必ずその先頭に配されるとともに、その後にビデオデータ４２、オーディオデータ４３及びサブピクチャデータ４４の夫々データが配設されるようになっている。ただし、ビデオデータ４２、オーディオデータ４３及びサブピクチャデータ４４の夫々データは、必ずしもＶＯＢユニット３０中に存在する必要はなく、また、存在する場合にもその数や順序は任意に設定することができるようになっている。
【０１２７】
なお、ＤＶＤ１に記録可能な音声は８種類であり、記録可能な副映像の種類は３２種類であることが規格上定められている。
【０１２８】
これらのビデオデータ４２、オーディオデータ４３及びサブピクチャデータ４４は、夫々の区分を一般にパックといい、各ＶＯＢユニット３０においては、ビデオデータ４２、オーディオデータ４３及びサブピクチャデータ４４が、夫々パックに分割されて記録されているようになっている。
【０１２９】
なお、各ＶＯＢユニット３０に含まれている全てのビデオデータ４２は、１又は複数のＧＯＰ（Group  Of  Picture）により構成されている。このＧＯＰは、本実施の形態におけるＤＶＤ１に映像情報を記録する際に採用されている画像圧縮方式であるＭＰＥＧ２方式の規格において定められている単独で再生可能な最小の画像単位であり、各ＧＯＰの先頭には、当該ＧＯＰに含まれるビデオデータ４２を表示すべき再生時間軸上の再生時刻を示すＰＴＳ（Presentation  Time  Stamp）と呼ばれる再生表示時刻情報が記録されるようになっている。このＭＰＥＧ２方式については後述する。
【０１３０】
また、ビデオデータ４２が記録されているパックをビデオパック、オーディオデータ４３が記録されているパックをオーディオパック、サブピクチャデータ４４が記録されているパックをサブピクチャパックという。
【０１３１】
さらに、各パックの先頭に記録されるパックヘッダには、ＳＣＲ（System  Clock  Reference）という時間情報（本発明の再生開始時刻情報に相当）が記録されている。このＳＣＲとは、夫々のパックに含まれているデータを、ＤＶＤ１に記録されている情報を再生する情報再生装置におけるトラックバッファから読み出して、夫々のバッファへの入力を開始すべき再生時間軸上の読み出し開始時刻を示すものである。
【０１３２】
上記各パックは、通常、当該パックを更に細分化した記録単位であるパケット毎にビデオデータ４２、オーディオデータ４３又はサブピクチャデータ４４が記録されるようになっているが、本実施の形態におけるＤＶＤ１では、一般に１のパックが１のパケットにより構成されている。
【０１３３】
ナビパック４１は、再生表示させたい映像又は音声等を検索するための検索情報（例えば、当該再生表示させたい映像又は音声等が記録されているＤＶＤ１上のアドレス）であるＤＳＩデータと、ＤＳＩデータに基づいて検索したときに映像又は音声を表示する際の再生表示制御に関する情報であるＰＣＩデータと有している。
【０１３４】
ＰＣＩデータには、視聴者によって選択される選択項目に対して、その項目が選択されたときの表示や動作を定義したハイライト情報が含まれている。このハイライト情報によって、例えば、視聴者が選択すべき項目を表示した画像（いわゆるメニュー画面）における、項目選択に対する画面表示の変化や、当該選択に対応して変化すべき表示位置及び選択された項目に対するコマンド（選択された項目に対して実行される動作を示す命令）等の設定が行われるようになっている。メニュー画面を構成して表示するために必要な、枠、選択ボタン等を表示するための画像情報は、上記の副映像情報であるサブピクチャデータ４４として記録されている。なお、このＤＳＩデータ及びＰＣＩデータの詳細にいては後述する。
【０１３５】
次に、本実施形態で採用するビデオデータを圧縮するＭＰＥＧ２方式についてその概要を説明する。
【０１３６】
一般に、連続したフレーム画像において、一枚のフレーム画像の前後にあるフレーム画像は、互いに類似し相互関係を有している場合が多い。ＭＰＥＧ２方式はこの点に着目し、数フレームを隔てて転送される複数のフレーム画像に基づき、当該複数のフレーム画像の間に存在する別のフレーム画像を、原画像の動きベクトル等に基づく補間演算にて生成する方式である。
【０１３７】
当該別のフレーム画像を記録する場合には、複数のフレーム画像との間における差分及び動きベクトルに関する情報を記録するだけで、再生時には、それらを参照して上記複数のフレーム画像から予測して当該別のフレーム画像を再生することが可能となる。これにより、画像の圧縮記録が可能となるのである。
【０１３８】
さらに、上記ＧＯＰについて図２を用いてその概要を説明する。
【０１３９】
なお、図２は、各ＧＯＰを構成する複数のフレーム画像の例を示している。
【０１４０】
図２では、各ＧＯＰが１２枚のフレーム画像から構成されている場合（ＭＰＥＧ２方式では、各ＧＯＰに含まれるフレーム画像数は一定ではない）を示しているが、この内、符号「Ｉ」で示されるフレーム画像は、Ｉピクチャ（intra-coded  picture  ：イントラ符号化画像）と呼ばれ、自らの画像のみで完全なフレーム画像を再生することができるフレーム画像をいう。
【０１４１】
また、符号「Ｐ」で示されるフレーム画像は、Ｐピクチャ（Predictive-coded  picture：前方予測符号化画像）と呼ばれ、既に復号化されたＩピクチャ又は他のＰピクチャに基づいて補償再生された予測画像との差を復号化する等して生成する予測画像である。
【０１４２】
さらに、符号「Ｂ」で示されるフレーム画像は、Ｂピクチャ（Bidirectionally  predictive-coded  picture：両方向予測符号化画像）といい、既に復号化されたＩピクチャ又はＰピクチャのみでなく、光ディスク等に記録されている時間的に未来のＩピクチャ又はＰピクチャをも予測に用いて再生される予測画像をいう。
【０１４３】
なお、図２においては、各ピクチャ間の予測関係（補間関係）を矢印で示している。
【０１４４】
また、実施形態に係るＤＶＤ１で用いられている一般のＭＰＥＧ２方式においては、夫々のＧＯＰに含まれるデータ量が一定でない可変レート方式を採用している。すなわち、１のＧＯＰに含まれる各ピクチャが、動きの速い動画に対応しており、各ピクチャ間の相関関係が小さい場合には、各ピクチャを構成するためのデータ量が多くなり、従って、１のＧＯＰに含まれるデータ量も多くなる。
【０１４５】
一方、各ＧＯＰに含まれる各ピクチャが、あまり動きのない動画に対応しており、各ピクチャ間の相関関係が大きい場合には、各ピクチャを構成するためのデータ量も少なくなり、各ＧＯＰに含まれるデータ量も少なくなることとなる。
【０１４６】
次に、上記ＰＣＩデータ及びＤＳＩデータの物理的なデータ構造について、図３を用いて説明する。
【０１４７】
ナビパック４１に含まれるＰＣＩデータ及びＤＳＩデータは、ＰＣＩデータの実データを有するＰＣＩパケットデータ５０およびＤＳＩデータの実データを有するＤＳＩパケットデータ５１と、当該パックが記録されている物理的アドレス（Pack  Start  Code）およびＳＣＲなどの情報を有するパックヘッダ５２と、当該パックのシステムヘッダが記録されている物理的アドレス（System  Header  Start  Code）およびデータストリームの属性情報を有するシステムヘッダ５３と、各パケットヘッダ５４とから構成される。
【０１４８】
ＰＣＩパケットデータ５０、図３に示すように、ＰＣＩデータ４５本体としての一般情報５５と、マルチアングル用の情報を記録するアングル情報５６と、マルチアングル表示の選択のために表示されるメニュー表示情報を記録するハイライト情報５７と、ＩＳＯ（International Standardization organization）３９０１に準拠するＩＳＲＣ（International  Standard  Recording  Code）としての記録情報５８と、により構成されている。
【０１４９】
なお、このＩＳＲＣとは、ＣＤ（Compact  Disc）等において使用されるサブコード内にある国コード、コンテンツホルダーコードなどの情報を示す。
【０１５０】
この一般情報５５は、上記ナビパック４１のＶＯＢ１０の先頭から予め設定されている論理ブロックの番号を示す論理アドレス情報７０と、コピープロテクションに関する情報、すなわち著作権情報を示す著作権情報７１と、ＶＯＢユニット３０におけるユーザの操作制御を示すユーザ制御情報７２と、そのナビパック４１が含まれているＶＯＢユニット３０の再生時間軸上における再生開始時刻を示すＶＯＢＵ再生開始時刻情報７３と、当該ＶＯＢユニット３０の再生時間軸上における再生終了時刻を示すＶＯＢＵ再生終了時刻情報７４と、ＶＯＢユニット３０におけるＶＯＢＵ再生終了時刻情報とは別の再生時間軸上における再生制限終了時刻を示すＶＯＢＵ終了時刻制限情報７５と、セルの最初のビデオフレームからＶＯＢユニット３０の最初のフレームまでの相対的な記録アドレス情報であるナビパック相対位置情報７６と、により構成されている。
【０１５１】
ＤＳＩパケットデータ５１は、ＤＳＩデータ４６本体としての一般情報８０と、当該ナビパック４１が属するＶＯＢ１０に関する情報であるＶＯＢ情報８１と、マルチアングル用の情報を記録するアングル情報８２と、そのナビパック４１が属しているＶＯＢユニット３０の前後に再生されるべき他のＶＯＢユニット３０のＤＶＤ１上の記録位置を示すＶＯＢＵサーチ情報８３と、ビデオデータとオーディオデータの同期再生用のアドレス情報を示す同期再生用アドレス情報８４と、により構成されている。
【０１５２】
一般情報８０は、上記ナビパック相対位置情報７０と同様のナビパック相対位置情報８８と、そのナビパック４１が属しているＶＯＢユニット３０を識別するためのＶＯＢＵ識別番号８９と、その他の情報である他情報９０と、により構成されている。
【０１５３】
ＶＯＢ情報８１は、そのナビパック４１を含むＶＯＢユニット３０が属するＶＯＢ１０の再生時間軸上における再生開始時刻を示すＶＯＢ開始時刻情報８５と、当該ＶＯＢ１０の再生時間軸上における再生終了時刻を示すＶＯＢ終了時刻情報８６と、その他の情報である他情報９０と、により構成されている。
【０１５４】
ＶＯＢＵサーチ情報８３は、当該ナビパック４１が属しているＶＯＢユニット３０の次のＶＯＢユニット３０、一つ前のＶＯＢユニット３０のＤＶＤ１上の記録位置を示す位置情報、及び、当該ＶＯＢユニット３０の開始時刻から１２０秒後乃至１２０秒前の範囲で再生されるべき他のＶＯＢユニット３０のＤＶＤ１上の記録位置を示す位置情報を有している。
【０１５５】
以上説明した図１に示す階層構造の記録フォーマットにおいて、夫々の区分は、製作者がその意図に応じて自在に区分設定をして記録させるものである。これらの区分毎に後述の論理構造に基づいて再生することにより、変化に富んだ種々の再生ができるようになっている。
【０１５６】
次に、図１又は図３に示す物理的な区分により記録された情報を組み合わせた論理フォーマット（論理構造）について図４を用いて説明する。なお、図４に示す論理構造は、その構造で実際にＤＶＤ１上に情報が記録されているのではなく、図４に示す論理構造で図１に示す各データ（特にセル２０）を組み合わせて再生するための情報（アクセス情報又は時間情報等）がＤＶＤ１上の、特にコントロールデータ１１の中に記録されているものである。
【０１５７】
説明の明確化のために、図４の下位の階層から説明していくと、上記図１において説明した物理構造のうち、複数のセル２０を選択して組み合わせることにより、１のプログラム６０が製作者の意図に基づいて論理上構成される。このプログラム６０は、上記情報再生装置におけるシステムコントローラが区分を識別してコマンドによってアクセスできる最小の論理的単位でもある。
【０１５８】
なお、このプログラム６０を１又は複数個纏めたものを視聴者が自由に選択して視聴することができる最小単位として製作者が定義することもでき、この単位をＰＴＴ（Part  of  Title）という。
【０１５９】
また、１のプログラム６０が複数のセル２０を選択して論理的に構成されることから、複数のプログラム６０で１のセル２０を用いる、すなわち、１のセル２０を異なった複数のプログラム６０において再生させる、いわゆるセル２０の使い回しを製作者が行うことも可能となっている。
【０１６０】
各セル２０の番号については、当該セル２０を図１に示す物理フォーマットにおいて取り扱う際にはセルＩＤ番号として扱われ（図１中、セルＩＤ＃と示す。）、図４に示す論理フォーマットにおいて取り扱う際には、後述のＰＧＣＩ中の記述順にセル番号として扱われる。
【０１６１】
当該ビデオ方式では、複数のプログラム６０を組み合わせて１のＰＧＣ（Program  Chain）６１が製作者の意図に基づいて論理上構成される。このＰＧＣ６１の単位で、前述したＰＧＣＩが定義され、当該ＰＧＣＩには、夫々のプログラム６０を再生する際の各プログラム６０毎のセル２０の再生順序（この再生順序により、プログラム６０毎に固有のプログラム番号が割当てられる）、夫々のセル２０のＤＶＤ１上の記録位置であるアドレス、１のプログラム６０における再生すべき先頭セル２０の番号、各プログラム６０の再生方式（本実施形態のＤＶＤ１に情報を記録する際には、再生時において、通常再生、ランダム再生（乱数によるランダム再生であり、同じプログラム６０が複数回再生されることがある）又はシャッフル再生（ランダム再生と同様の乱数によるランダム再生であるが、同じプログラム６０は一度しか再生されず、同じプログラム６０が複数回再生されることはない）のうち、いずれか一つの再生方法をＰＧＣ６１毎に製作者が選択して再生させるようにすることができる）及び各種コマンド（ＰＧＣ６１又はセル２０毎に製作者が指定可能なコマンド）が含まれている。
【０１６２】
なお、ＰＧＣＩのＤＶＤ１上の記録位置は、上述の通りコントロールデータ１１（図１参照）内であるが、当該ＰＧＣＩがビデオマネージャ２内のメニューに関するＰＧＣＩである場合には、当該ＰＧＣＩの記録位置は、ビデオマネージャ２に含まれるコントロールデータ（図示を省略する）内である。
【０１６３】
また、各ＰＧＣ６１には、上記ＰＧＣＩの他に、実体的な映像及び音声等のデータが、プログラム６０の組み合わせとして（換言すれば、セル２０の組み合わせとして）含まれるようになっている。
【０１６４】
この各ＰＧＣ６１においては、上記のプログラム６０における説明において示したセル２０の使い回し（すなわち、異なるＰＧＣ６１により同１のセル２０を用いること。）も可能であり、使用するセル２０については、ＤＶＤ１に記憶されている順番にセル２０を再生する方法（連続配置セルの再生）の他に、ＤＶＤ１に記憶されている順序に関係なく再生する（例えば、後に記録されているセル２０を先に再生する等）方法（非連続配置セルの再生）を製作者が選択することができるようになっている。
【０１６５】
当該ビデオ方式では、１又は複数のＰＧＣ６１により、１のタイトル６２が論理上構成され、このタイトル６２は、例えば、映画一本に相当する単位であり、製作者がＤＶＤ１の視聴者に対して提供したい完結した情報を示す。
【０１６６】
このため、１又は複数のタイトル６２により、１のＶＴＳ６３が論理上構成されるようになっており、このＶＴＳ６３に含まれるタイトル６２は、夫々に共通の属性を有するものであり、例えば、一本の同じ映画に対して違う言語の映画が夫々のタイトル６２に相当することとなる。
【０１６７】
また、図４に示す１のＶＴＳ６３に相当する情報は、図１に示す１のＶＴＳ３に含まれている情報に対応している。すなわち、ＤＶＤ１には、図４に示すＶＴＳ６３内に論理上含まれる全ての情報が１のＶＴＳ３として記録されるようになっている。
【０１６８】
以上説明した論理フォーマットに基づいて、物理構造において区分された情報を製作者が指定することにより、視聴者が見るべきタイトル（映画等）が形成されるのである。
【０１６９】
〔ビデオレコーディング方式（ＶＲ方式）〕
次に、当該実施形態の前提となるビデオレコーディング方式における記録フォーマットについて、図５〜図８を用いて説明する。
【０１７０】
なお、図５〜図７は各記録規格に準拠してビデオ情報（コンテンツ情報）が記録された後のＤＶＤにおける物理的な記録フォーマット（具体的には、各コンテンツ情報のＤＶＤ内の記録位置等を示す物理フォーマット）を示す図であり、図８は当該ＤＶＤに記録されているコンテンツ情報の再生態様を制御するべく生成された論理的な記録フォーマット（具体的には、再生の際における各情報の繋がり方及び当該繋がり方をもって繋ぐべき各コンテンツ情報のＤＶＤ上の記録位置）を示す図である。
【０１７１】
当該記録規格のＤＶＤ１０１は、図５に示すように、その内周側から、ＤＶＤ内のコンテンツ情報の再生を開始するための制御情報である開始情報等が記録されているリードインエリアＬＩと、実際に再生されるべきコンテンツ情報及び当該コンテンツ情報の再生態様を制御するための再生制御情報（具体的には、当該コンテンツ情報を構成する各情報の再生順序や再生時間、或いはＤＶＤ１０１上の記録位置等を示す再生制御情報）が記録されるデータエリア１０２と、当該コンテンツ情報の再生を終了させるための制御情報である終了情報等が記録されているリードアウトエリアＬＯと、を有している。
【０１７２】
このデータエリア１０２には、ファイルシステム情報エリア１１０と、ナビゲーション情報エリア１１１と、オブジェクト記録エリア１１２と、が形成されており、このオブジェクト記録エリア１１２内には、記録の対象となるコンテンツ情報そのものであるオブジェクト（本実施形態では、コンテンツ情報がビデオ情報の場合であるのでビデオオブジェクト（ＶＯＢ））１１３（本発明のコンテンツ情報に相当）が複数個記録されるようになっている。
【０１７３】
この各ＶＯＢ１１３には、一度記録が開始された後それが終了するまでに記録される一連のコンテンツ情報が記録されるようになっており、連続したコンテンツ情報の記録が終了する度に、ＶＯＢ１１３が一つずつオブジェクト記録エリア１１２内に形成されていくようになっている。
【０１７４】
なお、図５は、ｎ個のＶＯＢ１１３が夫々に番号（ＩＤ）が付された状態でＶＯＢＩＤ＃１乃至ＶＯＢＩＤ＃ｎとして記録されている状態を示している。
【０１７５】
また、後述する論理フォーマットにおいては、一旦記録が開始されてからそれが終了するまでにＤＶＤ１０１に記録される一続きのＶＯＢ１１３をプログラムと称し、各ＶＯＢ１１３は、複数のＶＯＢユニット１１４（本発明の単位情報に相当）により構成されるようになっている。
【０１７６】
このＶＯＢユニット１１４は、コンテンツ情報の記録時における編集又は削除における最小単位として記録されるようになっているとともに、図６に示すように、ナビパック４１に代えてＲＤＩ（Real-Time  data  Information）パック１６０（本発明に係る再生態様制御情報に相当）を有する他は、上述したビデオ方式におけるデータ構成と同様な構成を有している。
【０１７７】
具体的には、各ＶＯＢユニット１１４は、当該ユニットの先頭にＲＤＩパック１６０が必ず配されるとともに、その後にビデオ方式と同様に各パック後に、ビデオデータ（ビデオパック）１６１、オーディオデータ（オーディオパック）１６２及びサブピクチャデータ（サブピクチャパック）１６３の夫々データが配設されるようになっている。ただし、ビデオパック１６１、オーディオパック１６２及びサブピクチャパック１６３の夫々パックは、必ずしもＶＯＢユニット１１４中に存在する必要はなく、また、存在する場合にもその数や順序は任意に設定することができるようになっている。なお、ＲＤＩパックの詳細については、後述する。
【０１７８】
一方、ナビゲーション情報エリア１１１内には、ナビゲーション情報が記録されるようになっており、ファイルシステム情報エリア１１０内には、当該ナビゲーション情報をいわゆるファイル形式で階層構造により当該ナビゲーション情報エリア１１１内に格納するためのシステム情報が記録されるようになっている。
【０１７９】
このナビゲーション情報は、後述するようにオブジェクト記録エリア１１２内に記録されているコンテンツ情報の再生態様を制御するための再生制御情報であり、ナビゲーション総合情報１２０と、オブジェクトファイル情報テーブル１２１と、オブジェクト記録シーケンス情報１２２と、設定再生シーケンス情報１２３と、他のナビゲーション情報１２４と、から構成されるようになっている。
【０１８０】
ナビゲーション総合情報１２０は、ナビゲーション情報エリア１１１内の各シーケンス情報又は情報テーブルの当該ナビゲーション情報エリア１１１内における格納位置（記録位置）、および、オブジェクト記録エリア１１２の記録開始位置等を管理するナビゲーション情報管理情報（いわゆるＧＩ：General  Information）１３０と、設定再生シーケンス情報１２３内に格納されているナビゲーション情報と後述する再生リスト（各記録規格上は、プレイリスト（ＰＬ：Play  List）という））との対応関係を示す再生リストポインタテーブル１３１と、により構成されている。
【０１８１】
オブジェクトファイル情報テーブル１２１は、オブジェクト記録エリア１１２に記録されるＶＯＢ１１３の種類及び当該種類に関連する属性情報等であるオブジェクトファイル属性情報１３２と、各ＶＯＢ１１３の再生開始時刻及び再生終了時刻、すなわち、ＶＯＢ１１３の先頭を起算点とした各ＶＯＢ１１３の再生開始時刻及び再生終了時刻、並びに、それに関連する情報等であるオブジェクトファイル情報１３３と、により構成される。
【０１８２】
このオブジェクトファイル情報１３３は、現在ＤＶＤ１０１上に記録されている１又は複数の上記ＶＯＢ１１３に関する諸情報が記録されており、具体的には、当該ＶＯＢ１１３のＤＶＤ１０１上における現時点での総数等が含まれているオブジェクトファイル総合情報１４０と、後述する再生処理等において検索（再生）目標とすべき各ＶＯＢ１１３の先頭のアドレス情報が記述されているｌ個（ｌは現在ＤＶＤ１０１に記録されているＶＯＢ１１３の数）のオブジェクトサーチポインタ１４１と、各ＶＯＢ１１３の先頭のＤＶＤ１０１上の記録位置を示すアドレス情報等が記述されているｌ個の（すなわち、オブジェクトサーチポインタ１４１の数と同数の）オブジェクト情報１４２と、により構成されている。
【０１８３】
各オブジェクト情報１４２は、各ＶＯＢ１１３の再生開始時刻及び再生終了時刻並びにそれに関連する情報であるオブジェクト一般情報１５０と、各ＶＯＢ１１３を構成するＶＯＢＵ１１４の再生時間、記録開始アドレス又はその大きさ等の情報であるオブジェクトユニット情報１５１と、により構成される。
【０１８４】
オブジェクト記録シーケンス情報１２２は、各記録規格上はオリジナルプログラムチェイン（Original  Program  Chain（ORG−PGC））と称されており、各ＶＯＢ１１３の記録シーケンス、すなわち、その記録当初において、どのような順序でどのようなコンテンツ情報が対応するＶＯＢ１１３としてＤＶＤ１０１に記録されたか、を纏めて示す情報である。
【０１８５】
なお、上述したオブジェクトファイル情報テーブル１２１及びオブジェクト記録シーケンス情報１２２は、共に新たなＶＯＢ１１３がＤＶＤ１０１に記録される度に新たに生成・更新されて記録されるものである。これらの情報により、使用者は、各ＶＯＢ１１３が記録されたときと全く同じ順序及び再生時間によりそれらを再生できるようになっている。
【０１８６】
一方、設定再生シーケンス情報１２３は、各記録規格上はユーザ定義プログラムチェイン（User  Defined  Program  Chain（UD−PGC））と称されており、各ＶＯＢ１１３の記録後に、当該記録済みのＶＯＢ１１３夫々の全部又は一部を相互に自由に独自の組み合わせで組合せて論理的に再生するために使用者が１又は複数生成して記録する再生手順情報であり、当該使用者が新たに設定する毎に番号が付されて記録される再生手順情報である。このため、当該１のユーザ定義プログラムチェインが上記した１の再生リストに対応付けられるようになっている。
【０１８７】
また、他のナビゲーション情報１２４は、上述した各ナビゲーション情報以外に再生制御に必要な情報により構成されている。
【０１８８】
再生リストポインタテーブル１３１としては、現在ＤＶＤ１０１上に記録されている１又は複数の上記設定再生シーケンス情報１２３の番号と使用者が設定した再生リストの番号との対応関係を示すポインタ情報が記録されており、具体的には、当該ポインタ情報のＤＶＤ１０１上における現時点での総数及び再生リストポインタテーブル１３１が記録されているＤＶＤ１０１上の領域の最終アドレス等が含まれている再生リスト総合情報１３４と、上記設定再生シーケンス情報１２３のうち使用者が設定した第１番目から第ｍ番目の再生リストに夫々対応づけられる当該設定再生シーケンス情報１２３の番号を示す第１乃至第ｍ再生リストポインタ１３５と、により構成されている。
【０１８９】
次に、図７を用いてＲＤＩパック１６０のデータ構成について説明する。
【０１９０】
ＲＤＩパック１６０は、図７に示すように、当該パックが記録されている物理的アドレス（Pack  Start  Code）およびＳＣＲなどの情報を有するパックヘッダ１７０、当該パックのシステムヘッダが記録されている物理的アドレス（System  Header  Start  Code）およびデータストリームの属性情報を有するシステムヘッダ１７１およびパケットヘッダ１７２と、ＲＤＩの実データを示すＲＤＩデータ１７３とにより構成されている。
【０１９１】
ＲＤＩデータ１７３は、ＶＯＢユニット１１４における時間情報を有するＲＤＩ一般情報１７４と、当該ＶＯＢユニット１１４の表示の際の制御情報を示す表示制御情報（ＤＣＩ：Display  Control  Information）およびコピー可能か否か等を示す著作権情報（ＣＣＩ：Copy  Control  Information）を有する制御情報１７５とにより構成される。
【０１９２】
また、このＲＤＩ一般情報１７４は、そのＲＤＩパック１６０が含まれているＶＯＢユニット１１４の再生時間軸上における再生開始時刻を示すＶＯＢＵ再生開始時刻情報１８０と、当該ＲＤＩパック１６０の記録時間を示すＶＯＢＵ記録時間情報１８１とにより構成され、制御情報１７５は、表示制御情報および著作権情報の有無等を示すステイタス情報１８２と、実際の表示制御情報１８３および著作権情報１８４とにより構成されている。
【０１９３】
以上説明した図５に示す階層構造の記録フォーマットにおいて、夫々の区分は、実時間軸に沿って記録させるためものであり、これらの区分毎に後述の論理構造に基づいて再生することにより、各ＶＯＢユニット１１４毎にデータ削除および編集を行うことができるようになっている。
【０１９４】
次に、上述した物理フォーマットを有してＤＶＤ１０１に記録されているコンテンツ情報を再生する際の再生態様（すなわち、その再生順序又は当該コンテンツ情報のうち再生の対象となるコンテンツ情報の範囲）を論理的に制御するための論理フォーマットについて、図８を用いて説明する。
【０１９５】
なお、図８は当該論理フォーマットを階層的に示すものであるが、ＤＶＤ１０１上のコンテンツ情報は物理的にはあくまで図５に示す態様で記録されているのであり、当該論理フォーマットは、上述したように再生すべきコンテンツ情報の範囲及び再生順序を階層構造により上記各ナビゲーション情報を用いて記述した結果得られるものである。
【０１９６】
最初に、上記オブジェクト記録シーケンス情報１２２の論理フォーマットについて説明する。
【０１９７】
当該オブジェクト記録シーケンス情報１２２は、上述したように、各オブジェクトの記録シーケンスを示す情報であるが、当該オブジェクト記録シーケンス情報１２２に基づいてＶＯＢ１１３を再生する場合には、使用者は、記録した順番にそれらを再生することのみ許容されることとなり、再生態様は一通りのみとなる。
【０１９８】
すなわち、図８に示す場合には、第１プログラム（上述したように、プログラムとは、一旦記録が開始されてからそれが終了するまでにＤＶＤ１０１に記録される一続きのオブジェクトに相当する。）１９０＃１が第２プログラム１９０＃２よりも先に記録されていることとなるが、この場合にオブジェクト記録シーケンス情報１２２として設定され得る再生順序は第１プログラム１９０＃１→第２プログラム１９０＃２という順番のみとなる。
【０１９９】
次に、各プログラム１９０は、１又は複数のセル１９１により論理上構成される。ここで、当該セル１９１とはプログラム１９０の全部又は一部であり、１のセル１９１の中では、コンテンツ情報は連続すべきことが規格化されている。すなわち、各プログラム１９０は、一つ以上のセル１９１から構成されることとなる。
【０２００】
例えば、一時間の放送番粗をＤＶＤ１０１にＶＯＢ１１３として記録したとすると、そのままの状態では図８における第２プログラム１９０と第３セル１９１の如く１のプログラム１９０＃３が１のセル１９１＃３のみから構成されることとなる。
【０２０１】
一方、当該記録後に、形成されたプログラム１９０の一部を再生不能として当該一部の前後で当該プログラム１９０を分割するようにオブジェクト記録シーケンス情報１２２を設定した場合（例えば、当該放送番組中におけるコマーシャルの期間に相当するＶＯＢ１１３を削除して再生不能とする場合等）、現在の各記録規格上は、セル１９１のみをその再生不能とする部分の前後で分割するようにすることのみが規格化されている（図８における第１プログラム１９０＃１並びに第１セル１９１＃１及び第２セル１９１＃２参照）。
【０２０２】
通常、図８に示すように、論理上構成される各セル１９１と物理的に形成されている各ＶＯＢ１１３との関係については、各セル１９１が１のＶＯＢ１１３に対応づけられている。従って、例えば、１のセル１９１をオブジェクト記録シーケンス情報１２２上で削除したとすると、対応するＶＯＢ１１３も再生不要となってしまうこととなる。
【０２０３】
次に、上記設定再生シーケンス情報１２３の論理フォーマットについて説明する。
【０２０４】
上述したように、設定再生シーケンス情報１２３（ユーザ定義プログラムチェイン）は、各記録規格上再生リストとも称され、使用者が任意に複数のＶＯＢ１１３の一部又はその全部を任意の順序で再生するために当該使用者により設定・記録されるものである。したがって、設定再生シーケンス情報１２３においては上記したプログラム１９０は存在せず、更に、設定再生シーケンス情報１２３を複数個設定することも可能とされる。
【０２０５】
設定再生シーケンス情報１２３は、図８に示すように１又は複数の定義セル（論理セルと称されることもある）１９２により論理上構成される。各定義セル１９２は、使用者が任意に設定した再生区間（各ＶＯＢ１１３の一部分としての再生区間）及び各再生区間の再生順序を論理上示す情報であり、各ＶＯＢ１１３を参照しつつ再生を行うように設定されるものである。これは元のＶＯＢ１１３はできるだけ変更することなく複数通りの再生態様を実現するための規格上の工夫である。
【０２０６】
より具体的には、図８に示すように、例えば、第１のＶＯＢ１１３＃１の一部を再生区間として指定する第１定義セル１９２＃１と、第２のＶＯＢ１１３＃２の一部を再生区間として指定する第２定義セル１９２＃２と、第３のＶＯＢ１１３＃３内の異なる一部を夫々再生区間として指定する第３の定義セル１９２＃３及び第４の定義セル１９２＃４と、を論理上設定し、これらを第１の定義セル１９２＃１→第２の定義セル１９２＃２→第３の定義セル１９２＃３→第４の定義セル１９２＃４の順番で再生するように定義することで、１の設定再生シーケンス情報１２３が構成されることとなる。
【０２０７】
また、各ＶＯＢ１１３に対して二以上の定義セル１９２が設定された場合に、複数の定義セル１９２でＶＯＢ１１３の一部を共通的に使用する場合もある。
【０２０８】
以上説明した論理フォーマットに基づいて、物理構造において実時間に沿って記録された区分を指定することにより、視聴者が見るべきコンテンツ情報が形成されるようになっている。
【０２０９】
〔パックのデータ構成（ＰＥＳパケット）〕
次に、データストリーム（ビデオデータ（ビデオパック）またはオーディオデータ（オーディオパック）などのエレメントデータ）の基本単位であるＰＥＳ（Packetized  Elementary  Stream）パケット（以下、ＰＥＳパケットという）について図９を用いてその構造を説明する。
【０２１０】
なお、当該ＰＥＳパケットは、ビデオ方式およびビデオレコーディング方式において同様な構成を有しており、各パックは、ＰＥＳパケットが複数個組み合わされ、パックヘッダおよびシステムヘッダとともに構成されている。
【０２１１】
また、さらに、当該複数のパックと、ビデオ方式においては、ナビパック４１、ビデオレコーディング方式においては、ＲＤＩパック１６０の付加情報が組み合わされて図１または図５に示すＶＯＢユニット３０、１１４が形成されるようになっている。
【０２１２】
また、図９（ａ）は、ＰＥＳパケットのデータ構成を示す図であり、図９（ｂ）は、上述したビデオパック４２、１６１またはオーディオパック４３、１６２などを構成するパックデータのデータ構成を示す図である。
【０２１３】
このＰＥＳパケット２００は、ＭＰＥＧ２規格におけるプログラムストリーム（以下、ＰＳと称する。）と呼ばれるデータストリームの基本単位であり、複数のＰＥＳパケット２００に後述するデータが付加されて、ビデオパック４２、１６１またはオーディオパック４３、１６２など各データパックを構成するようになっている。
【０２１４】
このＰＥＳパケット２００は、図９（ａ）に示すように、エレメンタリーストリームをパケット化したものであり、ＰＥＳパケットヘッダ（以下、ＰＥＳパケットヘッダという）２０１と、パケットデータ（以下、ＰＥＳパケットデータという）２０２とにより構成されており、ＰＥＳパケットデータ２０２は、実際に表示、出力すべき画像データ又はオーディオデータが含まれている。
【０２１５】
ＰＥＳパケットヘッダ２０１には、ＰＥＳパケットデータ２０２に含まれているデータの種類を示すストリームＩＤやＰＴＳ（Presentation  Time  Stamp）及びＤＴＳ（Decoding  Time  Stamp）等が含まれている。
【０２１６】
このＤＴＳは、システムストリームを復号化するためのデコーダ内のバッファから復号されたピクチャデータにおける出力される時刻を示す時間情報であり、ＰＴＳは当該ピクチャデータに対応する画像が実際に表示される時刻を示す時間情報である。
【０２１７】
なお、ＰＥＳパケットデータ２０２がオーディオパック４３、１６２のときは、ＰＴＳとＤＴＳは同じ値になるので、それらの代表としてＰＴＳのみが記録されるようになっている。
【０２１８】
ＰＴＳ及びＤＴＳは、ＰＥＳパケットデータ２０２中にアクセスユニット（すなわち、画像情報の場合は各ピクチャであり、オーディオ情報の場合はＡＡＵ（Audio  Access  Unit）が相当）の先頭が存在する時のみ当該ＰＥＳパケットヘッダ２０１内に含まれるようになっている。このため上記ＰＥＳパケットヘッダ２０１の大きさ（ビット数）はそれに含まれる上記ＰＴＳ及びＤＴＳ等のオプション情報の有無によって変化するようになっている。
【０２１９】
また、各パック２１０は、複数個のＰＥＳパケット２００を含んで構成されており、１のパック２１０は、図９（ｂ）に示すように、１のパックヘッダ２１１と、システムヘッダ２１２と、複数個のＰＥＳパケット２００とから構成されている。
【０２２０】
パックヘッダ２１１には、ＳＣＲ（System  Clock  Reference；システム時刻基準参照値）が記録されている。このＳＣＲは、少なくとも０．７msecに一回はＰＳ中に含まれている必要があり、それが含まれるパック２１０が復号器内のバッファに到着する時刻を記述したものである。
【０２２１】
より具体的に当該ＳＣＲについて説明すると、当該ＳＣＲは、夫々のパック２１０に含まれているデータの復号器内のバッファへの入力を開始すべき再生時間軸上の読み出し開始時刻を示すものである。
【０２２２】
パックヘッダ２１１の大きさは１４バイトにダミーデータを加算したバイト数となり、システムヘッダ２０２には上記バッファのサイズ等の情報が含まれる。このシステムヘッダ２０２は、各パック２１０内に含まれるか否かは任意に設定することができるようになっているが、当該パック２１０内に含ませる場合にはパックヘッダ２１１の直後に合成されるようになっている。
【０２２３】
また、ビデオ方式ではＶＯＢ１０またはビデオレコーディング方式において、ＶＯＢユニット１１４の先頭にあるビデオパック４２、１６１またはオーディオパック４３、１６２のパックヘッダ２１１には、ＳＣＲ情報の他に、ＰＥＳエクステンション（ＰＥＳ  Extension）情報エリアを有している。
【０２２４】
ＰＥＳエクステンション情報とは、当該パックの著作権情報（コピープロテクション情報）、および、いわゆる実データを再生する際の再生態様を拡張する拡張情報などの再生制御情報をいい、ユーザやＡＶ情報を提供する配給者が任意に当該ビデオデータまたはオーディオデータについて、記録禁止か否かの設定情報、および、映像処理・音響処理およびその他の処理の設定情報をいう。
【０２２５】
具体的には、このＰＥＳエクステンション情報は、ＰＥＳエクステンションのデータがあるか否かを示すＰＥＳエクステンション制御情報（ＰＥＳ  Extension  Flag）と、ＰＴＳを有する実際の拡張処理の内容を示す実データから構成されるようになっている。
【０２２６】
以上のようなパック２１０、すなわち、ビデオパック４２、１６１またはオーディオパック４３、１６２が複数個組み合わされるとともに、ビデオ方式においては、ナビパック４１、ビデオレコーディング方式においては、ＲＤＩパック１６０の付加情報が組み合わされて各ビデオ方式またはビデオレコーディング方式のＶＯＢユニット３０、１１４が形成されるようになっている。
【０２２７】
（II）フォーマット変換の実施形態
次に、上述した各記録規格を前提として策定される本発明に係るフォーマット変換装置を適用した場合の情報記録再生装置を図１０〜図１８を用いて説明する。
【０２２８】
〔情報記録再生装置の基本構成〕
まず、図１１および図１２を用いて本実施形態における情報記録再生装置の構成について説明する。
【０２２９】
なお、図１０は、当該情報記録再生装置の基本構成を示す構成図であり、図１１は、当該情報記録再生装置におけるインターフェース３０７にあるフォーマット変換部の構成を示す構成図である。
【０２３０】
図１０に示す情報記録再生装置３００は、映像情報であるＰＡＬ信号またはＮＴＳＣ信号をデジタル信号に変換するＰ／Ｎデコーダ３０１と、アナログ信号のオーディデータをデジタルデータ化するオーディオＡ／Ｄコンバータ（以下、オーディオＡＤＣという）３０２と、デジタル信号に変換された一般的な映像および音声処理を行うＡＶデータ処理部３０３と、当該ＡＶデータをビデオ方式またはビデオレコーダ方式の記録方式にエンコードするＡＶエンコーダ３０４と、図示しないＤＶＤを格納し、ＡＶデータの記録再生を行うＤＶＤ−Ｒ／ＲＷドライブ３０５と、ＡＶデータの記録再生を行うハードディスク（以下、ＨＤＤという）３０６と、ＤＶＤ−Ｒ／ＲＷドライブ３０５およびＨＤＤ３０６にＡＶデータの読み出し、書き込み制御を行うインターフェース３０７と、ビデオ方式またはビデオレコーダ方式の記録方式からＡＶデータにデコードするＡＶデコーダ３０８と、デジタル信号である映像情報をアナログ信号であるＰＡＬ信号またはＮＴＳＣ信号に変換するＰ／Ｎエンコーダ３０９と、デジタル信号であるオーディデータをアナログデータに変換するオーディオＤ／Ａコンバータ（以下、オーディオＤＡＣという）３１０と、各部を制御する制御部３１１と、各部の動作に使用されるメモリ３１２と、を備えている。
【０２３１】
Ｐ／Ｎデコーダ３０１には、図示しないテレビチューナ等から出力されたアナログ信号であるＰＡＬ信号またはＮＴＳＣ信号が入力されるようになっており、このＰ／Ｎデコーダ３０１は、入力されたＰＡＬ信号またはＮＴＳＣ信号をデジタル信号に変換してＡＶデータ処理部３０３に出力するようになっている。
【０２３２】
オーディオＡＤＣ３０２は、Ｐ／Ｎデコーダ３０１と同様に、図示しないテレビチューナ等から出力されたアナログ信号であるオーディオデータが入力されるようになっており、このオーディオＡＤＣ３０２は、入力されたオーディオデータをデジタル信号に変換してＡＶデータ処理部３０３に出力するようになっている。
【０２３３】
ＡＶデータ処理部３０３には、デジタル信号に変換された映像データまたはオーディオデータ（以下、単にＡＶデータという）が入力されるようになっており、このＡＶデータ処理部３０３は、入力されたＡＶデータを、Ｐ／Ｎエンコーダ３０９およびオーディオＤＡＣ３１０に出力するＡＶエンコーダ３０４へのデータの切り替えなどのパスの切り替え、並びに、映像データのグラフィック処理およびＯＳＤ（On  Screen  Display）処理などベースバンド信号上においての一般的なデジタル映像処理・音響処理を行うようになっている。
【０２３４】
ＡＶエンコーダ３０４には、ＡＶ処理されたＡＶデータ入力されるようになっており、このＡＶエンコーダ３０４は、入力されたＡＶデータを上述したビデオ方式またはビデオレコーディング方式の記録方式にエンコードし、エンコードしたＡＶデータを、インターフェース３０７を介してＤＶＤ−Ｒ／ＲＷドライブ３０５およびＨＤＤ３０６に出力するようになっている。
【０２３５】
インターフェース３０７は、ＤＶＤ−Ｒ／ＲＷドライブ３０５およびＨＤＤ３０６にＡＶデータを記録する際のインターフェース３０７処理を行うとともに、当該動作および制御部３１１の制御に基づいてＡＶデータの記録・再生時にＤＶＤ−Ｒ／ＲＷドライブ３０５およびＨＤＤ３０６を行うようになっている。
【０２３６】
また、このインターフェース３０７は、ＡＶデータをビデオレコーディング方式からビデオ方式に変換するフォーマット変換処理部４００を有しており、このフォーマット変換処理部４００の詳細については後述する。
【０２３７】
ＡＶデコーダ３０８には、ビデオ方式またはビデオレコーディング方式の記録方式にエンコードされているＡＶデータをデジタルデータにデコードし、当該データしたＡＶデータをＡＶデータ処理部３０３に出力するようになっている。
【０２３８】
Ｐ／Ｎエンコーダ３０９には、ＡＶデータ処理部３０３から出力されたデジタル信号であるＰＡＬ信号またはＮＴＳＣ信号が入力されるようになっており、当該入力されたＰＡＬ信号またはＮＴＳＣ信号をアナログ信号に変換して図示しない表示部等に出力するようになっている。
【０２３９】
オーディオＤＡＣ３１０は、Ｐ／Ｎエンコーダ３０９と同様に、ＡＶデータ処理部３０３から出力されたデジタル信号であるオーディオデータが入力されるようになっており、当該入力されたオーディオデータをアナログ信号に変換して図示しない電力増幅部を介して外部に出力するようになっている。
【０２４０】
次に、インターフェース３０７におけるフォーマット変換処理部４００の構成について説明する。
【０２４１】
フォーマット変換処理部４００は、図１１に示すように、各パック２１０のデータ構成を解析するデータ解析部４０１と、各パック２１０の後述するタイムスタンプ情報およびＰＥＳエクステンション制御情報を取得するデータ取得部４０２と、各オーディオパック、具体的には、ビデオレコーディング方式のオーディオパック１６１のチェック処理を行うチェック処理部４０３と、各ＲＤＩパック１６０における所定のＲＤＩデータを取得するＲＤＩデータ取得部４０４と、時間情報の変換処理を行う第１演算処理部４０５と、ＰＥＳエクステンション情報の削除処理を行う第２演算処理部４０６と、オーディオパック１６２の変換処理を行う第３演算処理部４０７と、ＲＤＩデータからビデオ方式におけるナビパック４１のデータを算出する演算部４０８と、時間情報の変換処理などが行われたＲＤＩパック１６０を有するデータストリームにナビパック４１を置換するマルチプレクサ４０９と、オーディオパック１６２の変換処理の際に用いる第１バッファ４１０と、ナビパック４１を生成する第２バッファ４１１と、を備えている。
【０２４２】
なお、時間情報の変換処理、ＰＥＳエクステンション情報の削除処理、オーディオパックの変換処理およびＲＤＩパックをナビパックに変換する再生制御情報変換処理の詳細については後述する。
【０２４３】
また、データ解析部４０１、データ取得部４０２、チェック処理部４０３、ＲＤＩデータ取得部４０４、各演算処理部４０５、４０６、４０７、演算部４０８、マルチプレクサ４０９および各バッファ４１０、４１１の各部の動作は、各処理の説明の中で説明する。
【０２４４】
本実施形態において、フォーマット変換処理部４００は、本発明のフォーマット変換装置を構成するとともに、データ解析部４０１、データ取得部４０２、チェック処理部４０３、ＲＤＩデータ取得部４０４、各演算処理部４０５、４０６、４０７、演算部４０８およびマルチプレクサ４０９は、本発明の変換手段を構成する。
【０２４５】
また、データ解析手段４０１、データ取得部４０２、第１演算処理部４０５および第３演算処理部４０７は、それぞれ、検出手段、取得手段、設定手段および付加手段を構成している。
【０２４６】
〔時間情報の変換処理（オフセット処理）〕
次に、図１２、図１３を用いて時間情報の変換処理について説明する。
【０２４７】
なお、図１２は、本実施形態における時間情報の変換処理（オフセット処理）を説明するための原理図であり、図１３は、本実施形態における時間情報の変換処理の動作を示すフローチャートである。
【０２４８】
ビデオ方式では、基本的には、再生用フォーマットであるため、そのデータフォーマットの構成上、各ＶＯＢ１０の先頭のＶＯＢユニット３０における先頭のパック２１０におけるパックヘッダ２１１にあるＳＣＲ（システム時刻基準参照値）、すなわち、各パック２１０が再生時の図示しない復号器内のバッファに到着する時刻を必ず“０”にしなければならない。
【０２４９】
一方、ビデオレコーディング方式では、ＤＶＤに記録されたデータの編集が行われることが前提であるため、そのデータフォーマットの構成上、ＶＯＢ１１３の先頭のＶＯＢユニット１１４における先頭のパック（以下、単に、先頭のパック）２１０にあるＳＣＲは“０”である必要が無く、任意の値が許容されている。
【０２５０】
すなわち、ビデオレコーディング方式では、ＶＯＢ１１３内の先頭のＶＯＢユニット１１４が削除されることも考えられるので、ＶＯＢ１１３の先頭パックにおけるＳＣＲの値が“０”でなくとも、再生可能になっている。
【０２５１】
上述のような各フォーマット形式の違いのため、ビデオレコーディング方式のデータをビデオ方式のデータに変換するためには、常に、ＶＯＢ１１３の先頭のパック２１０におけるＳＣＲの値を“０”に置き換えるとともに、そのパックに続く、他のパックにおけるＳＣＲの値“０”を先頭のパックのＳＣＲに合わせてオフセットする必要がある。
【０２５２】
すなわち、図１２（ａ）に示すように、ビデオレコーディング方式では、ＳＣＲの値は“０”でない場合に、図１２（ｂ）に示すように、ＶＯＢ１１３の先頭のパックにおけるＳＣＲの値を“０”とし、それに続くパックのＳＣＲの値をオフセット処理する必要がある。
【０２５３】
また、同様に、各ＰＥＳパケット２００の各ヘッダ２０１にある当該ピクチャデータに対応する画像が実際に表示される時刻を示す時間情報ＰＴＳ、および、オーディオデータ以外においては、システムストリームを復号するためのデコーダ内のバッファにおいて復号されたピクチャデータが出力される時刻を示す時間情報ＤＴＳも当該ＶＯＢ１１３の先頭のパック２１０のＳＣＲ、若しくは、当該ＰＥＳパケット２００が含まれるパック２１０においてオフセットされたＳＣＲに合わせて、オフセットする必要がある。
【０２５４】
本実施形態では、上述した処理（以下、オフセット処理という）をデータ解析部４０１、データ取得部４０２および第１演算処理部４０５において行うようになっている。
【０２５５】
データ解析部４０１は、データストリームから各パック２１０を読み込むようになっており、各パック２１０毎に、当該読み込んだパック２１０がＶＯＢ１１３の先頭、すなわち、ＶＯＢ１１３における先頭のＶＯＢユニット１１４の先頭のパックか否かを検出（以下、先頭検索処理という）し、当該パックがＶＯＢ１１３の先頭か否かを示す情報（以下、先頭情報という）をデータ取得部４０２に出力するようになっている。
【０２５６】
具体的には、データ解析部４０１は、ＶＯＢ１１３の先頭か否か先頭検索処理を行う場合、読み込んだパック２１０におけるパックヘッダ２０１にあるＳＣＲを読み出し、ＳＣＲの不連続を示した場所を検出するようになっており、より具体的には、前後のパック２１０におけるＳＣＲに基づいて、当該ＳＣＲが不連続点となっているか否かを検出するようになっている。
【０２５７】
例えば、図１２（ａ）に示すように、各ＶＯＢ１１３にＳＣＲが与えられている場合に、このデータ解析部４０１は、ＳＣＲの不連続点、図１２（ａ）で示すＡ点を検出するようになっており、検出したＡ点をＶＯＢ１１３の先頭、すなわち、時間情報のスタートポイントとしてその位置にあるパックについては、先頭である旨をデータ取得部４０２およびデータ取得部４０２を介して第１演算処理部４０５に通知するようになっている。
【０２５８】
また、データ解析部４０１は、読み込んだ各パック２１０毎に、ＳＣＲ、ＰＴＳおよびＤＴＳ（以下、タイムスタンプという）の位置を解析するようになっており、このタイムスタンプの位置を示す情報（以下、タイムスタンプ位置情報という）をデータ取得部４０２に出力するようになっている。
【０２５９】
データ取得部４０２は、入力された各パック２１０のＳＣＲ、ＰＴＳおよびＤＴＳのタイムスタンプスタンプ位置情報に基づいて当該ＳＣＲ、ＰＴＳおよびＤＴＳのタイムスタンプの値（以下、タイムスタンプ情報）を取得するようになっており、当該取得したタイムスタンプ情報を第１演算処理部４０５に出力するようになっている。
【０２６０】
第１演算処理部４０５には、データストリームとともに、各パック２１０毎にタイムスタンプ情報およびタイムスタンプ位置情報並びにデータ取得部４０２を解して先頭情報が入力されるようになっている。
【０２６１】
この第１演算処理部４０５は、先頭情報に基づいて入力されたパック２１０がＶＯＢ１１３の先頭であることが認識された場合には、当該タイムスタンプ情報のＳＣＲ値に基づいてオフセット処理の基準値を算出するとともに、当該オフセット処理の基準値と、入力されたタイムスタンプ位置情報とに基づいて当該データストリームにおけるパック２１０における各タイムスタンプのオフセット処理およびタイムスタンプ情報の置換処理を行うようになっている。
【０２６２】
本実施形態では、このようにオフセット処理をパック毎に行うことによってビデオレコーディング方式による各ＶＯＢ１１３のＳＣＲ、ＰＴＳおよびＤＴＳのタイムスタンプ情報をビデオ方式に変換することができるようになっている。
【０２６３】
次に、図１３を用いてオフセット処理の動作について説明する。
【０２６４】
なお、このオフセット処理動作は、図１０に示す制御部３１１の指示に基づいて行われるようになっている。
【０２６５】
まず、フォーマット変換の動作開始が制御部３１１によって指示され、ドライブＩ／ＦによってＨＤＤ３０６からビデオレコーディング方式によって構成されるデータストリームの読み出しを開始すると、ＶＯＢ１１３の先頭のパック２１０がデータ解析部４０１に入力され、当該データ解析部４０１によって当該パック２１０の解析を行う（ステップＳ１１）。
【０２６６】
具体的には、当該パックのＳＣＲ、ＰＴＳおよびＤＴＳの各タイムスタンプ位置情報を取得する。
【０２６７】
次いで、データ解析部４０１によって、制御部３１１から当該パックが先頭のパックであるかの指示があるか否かが判断されるとともに（ステップＳ１２）、先頭である旨の指示が無い場合にはＶＯＢ１１３の先頭検索処理が行われる（ステップＳ１３）。
【０２６８】
具体的には、当該パック２１０がＶＯＢ１１３の先頭である場合に、当該パック２１０についてその旨の先頭情報がタイムスタンプ位置情報とともに、データ取得部４０２に出力され、当該パックの先頭検索処理は行われず、ステップＳ１４に行く。
【０２６９】
なお、この制御部３１１から当該パックが先頭のパックであるかの指示であるが、ＤＶＤの最初からフォーマット変換を行うときには、制御部３１１によって、当該最初に読み込まれたパックは先頭のパックであることが認識可能な場合があり、また、ユーザによって１のタイトルをフォーマット変換する場合にも、予めまたはユーザ操作によって当該最初に読み込まれたパックは先頭のパックであることが認識可能な場合があるため、当該最初に読み込まれたパックが最初のパックである旨が制御部３１１によって予め認識できる場合がある。
【０２７０】
したがって、当該認識されたときは、制御部３１１からデータ解析部４０１にこの旨が通知されることとなるので、本実施形態では、当該判断を行うようになっている。
【０２７１】
次いで、データ取得部４０２によって、ＶＯＢ１１３の各パック２１０におけるＳＣＲ、ＰＥＳパケットのＰＴＳおよびＤＴＳのタイムスタンプ情報を取得し、当該タイムスタンプ情報を第１演算処理部４０５に出力する（ステップＳ１４）。
次いで、第１演算処理部４０５によって、入力されたパックが先頭であるか否かが先頭情報に基づいて判断され（ステップＳ１５）、先頭の場合には、制御部３１１からのオフセット初期値の設定があるか否かを判断するとともに（ステップＳ１６）、先頭でない場合にはステップＳ１８に行く。
【０２７２】
例えば、上述のように制御部３１１によって予め読み込まれたパックは先頭のパックであることが認識可能な場合がある。この場合に、当該パックのＳＣＲ値より、または制御部３１１の他の処理によってオフセット初期値が予め取得することが可能な場合もあり、この場合には制御部３１１によって第１演算処理部４０５に通知されているので、この設定されているか否かを判断するようになっている。
【０２７３】
次いで、第１演算処理部４０５によって、当該パック２１０において制御部３１１からのオフセット初期値が設定されていない場合には、当該パックのＳＣＲの値に基づいてオフセット初期値の演算処理を行う（ステップＳ１７）。
【０２７４】
次いで、第１演算処理部４０５によって、算出されたまたは予め設定されたオフセット初期値に基づいて当該パック２１０の各タイムスタンプ情報、すなわち、ＳＣＲ、ＰＳＴおよびＤＴＳの各値を算出し、置換処理を行う（ステップＳ１８）。
【０２７５】
最後に、データ解析部４０１によって次に読み込むパック２１０があるか否かを判断し（ステップＳ１９）、無い場合にはオフセット処理を終了し、次に読み込むパック２１０がある場合には、ステップＳ１１に行く。
【０２７６】
このようにビデオレコーディング方式におけるＶＯＢ１１３の先頭にあるＳＣＲをビデオ方式に適合するように“０”に設定するとともに、当該ＶＯＢ１１３その他のＶＯＢ１１３の各タイムスタンプ情報をオフセット処理することができるので、タイムスタンプ情報をビデオ方式に準拠したフォーマット形式に変換することができる。
【０２７７】
この結果、ビデオ方式によってコンテンツ情報を的確に再生することのできるフォーマット形式に変換することができるとともに、フォーマット形式の変換の際に連続したコンテンツ情報として再生出力する必要が無い、すなわち、連続する画像情報または音情報に組み立てる必要がないので、高速に、かつ、データ劣化の無いフォーマット変換を行うことができる。
【０２７８】
〔ＰＥＳエクステンション情報の削除処理〕
次に、図１４を用いてＰＥＳエクステンション情報の削除処理について説明する。
【０２７９】
なお、図１４は、本実施形態におけるＰＥＳエクステンション情報の削除処理の動作を示すフローチャートである。
【０２８０】
ＰＥＳエクステンション情報とは、コンテンツ情報における再生制御情報をいい、具体的には、各ＶＯＢ１０、１１３またはＶＯＢユニット３０、１１４毎にＤＶＤに記録するコンテンツ情報を提供する提供者（オーサー）や情報を記録したユーザによって設定される著作権情報（データ複写の禁止情報などのコピープロテクションの情報）やビデオデータにおける画面表示の際のアスペクト比などの再生態様を示すため拡張情報をいう。
【０２８１】
ビデオ方式では、基本的には、再生用フォーマットであるため、そのデータフォーマットの構成上、各ＶＯＢ１０の最初に記録されているオーディオパック４３とビデオパック４２にのみＰＥＳエクステンション情報が存在すれば良い。
【０２８２】
すなわち、ビデオ方式は、基本的には再生用であり、ＶＯＢ１０単位によってデータが読み出されるようになっているため、当該ＶＯＢ１０の先頭にあるパック２１０に記録されたＰＥＳエクステンション情報のみによってＤＶＤに記録されたデータの再生および編集が行えれば問題はない。
【０２８３】
具体的には、ＰＥＳエクステンション情報は、ＶＯＢ１０の最初のＶＯＢユニット３０における最初のビデオパック（以下、単に最初のビデオパックという）４２およびオーディオパック（以下、単に最初のオーディオパックという）４３に記録されていれば、十分であり、規格として規定されている。
【０２８４】
一方、ビデオレコーディング方式では、ＤＶＤに記録されたデータの編集が行われることが前提であり、そのデータフォーマットの構成上、ＶＯＢユニット１１４毎にデータが切り出されるため、基本的には、各ＶＯＢ１１３を構成する複数の各ＶＯＢユニット１１４において、最初のビデオパック１６１およびオーディオパック１６２にＰＥＳエクステンション情報が記録されている必要がある。
【０２８５】
上述のような各フォーマット形式の違いのため、ビデオレコーディング方式のデータをビデオ方式のデータに変換するためには、ビデオレコーディング方式のＶＯＢ１１３の先頭にあるＶＯＢユニット１１４＃１以外のＶＯＢユニット１１４にあるＰＥＳエクステンション情報を削除する必要がある。
【０２８６】
本実施形態では、当該ＰＥＳエクステンション情報を削除するために、当該ＰＥＳエクステンション制御情報を無効にするとともに、実データを削除する必要があり、具体的には、ＰＥＳエクステンション制御情報の値を“０”にするとともに、実データ位置にある値を無効データ、例えば“Ｆ”データを埋めるようになっている。
【０２８７】
本実施形態では、このようなＰＥＳエクステンション削除処理をデータ解析部４０１、データ取得部４０２および第２演算処理部４０６において行うようになっている。
【０２８８】
データ解析部４０１は、基本的には上述のオフセット処理と同様に、データストリームから各パック２１０を読み込み、先頭検索処理を行うとともに、入力されたパックが先頭のパック２１０であるか否かを判断するようになっている。
【０２８９】
具体的には、データ解析部４０１は、データストリームから読み込んだ各パック２１０毎に、当該読み込んだパック２１０がＶＯＢ１１３の先頭、すなわち、ＶＯＢ１１３における先頭のＶＯＢユニット１１４の先頭のビデオパック１６１か、または、オーディオパック１６２か否かを検出する先頭検索処理を行うようになっている。
【０２９０】
この当該先頭検索処理については上述したオフセット処理時と同様にパックヘッダ２０１にあるＳＣＲを読み出し、ＳＣＲの不連続を示した場所を検出するようになっている。
【０２９１】
また、データ解析部４０１は、読み込んだ各パック２１０毎に、ＰＥＳエクステンション情報、すなわち、ＰＥＳエクステンション制御情報および実データ部分の位置を解析するようになっており、このＰＥＳエクステンション情報の位置を示す情報（以下、ＰＥＳ位置情報という）をデータ取得部４０２に出力するようになっている。
【０２９２】
データ取得部４０２は、当該パックが先頭のパックでないことが判断された場合に、データ解析部４０１によって取得されたＰＥＳ位置情報に基づき、データ取得部４０２によって当該パックにおけるＰＥＳエクステンション制御情報を検索するようになっており、当該検索によりＰＥＳエクステンション制御情報を取得してＰＥＳ位置情報とともに第２演算処理部４０６に出力するようになっている。
【０２９３】
第２演算処理部４０６には、オフセット処理されたデータストリームが入力されるようになっており、各パック２１０毎のＰＥＳエクステンション情報およびＰＥＳ位置情報が入力されるようになっており、入力されたＰＥＳエクステンション情報に基づいてＶＯＢ１１３の先頭でないパックに対して上述したＰＥＳエクステンション情報の削除処理、すなわち、ＰＥＳ位置情報に基づいてＰＥＳエクステンション制御情報の値を“０”にするとともに、実データの値を“Ｆ”データに置換するようになっている。
【０２９４】
本実施形態では、このようにＰＥＳエクステンション情報処理をパック毎に行うことによってビデオレコーディング方式による各ＶＯＢ１１３の各パック２１０のＰＥＳエクステンション情報をビデオ方式に変換することができるようになっている。
【０２９５】
次に、図１４を用いてＰＥＳエクステンション削除処理の動作について説明する。
【０２９６】
なお、このＰＥＳエクステンション削除処理の動作は、図１０に示す制御部３１１の指示に基づいて行われるようになっている。
【０２９７】
まず、フォーマット変換の動作開始が制御部３１１によって指示され、ドライブＩ／ＦによってＨＤＤ３０６からビデオレコーディング方式によって構成されるデータストリームの読み出しを開始すると、ＶＯＢ１１３の先頭のパック２１０がデータ解析部４０１に入力され、当該データ解析部４０１によって当該パック２１０の解析を行う（ステップＳ２１）。
【０２９８】
具体的には、各パックにおけるＰＥＳエクステンション制御情報およびＰＥＳエクステンション情報の実データの位置、すなわち、各ＰＥＳ位置情報を取得する。
【０２９９】
次いで、データ解析部４０１によって、制御部３１１から当該パック２１０が先頭のパック２１０であるかの指示があるか否かが判断されるとともに（ステップＳ２２）、先頭である旨の指示が無い場合にはＶＯＢ１１３の先頭検索処理が行われる（ステップＳ２３）。
【０３００】
具体的には、当該パック２１０がＶＯＢ１１３の先頭である場合に、当該パック２１０その旨の先頭情報がタイムスタンプ位置情報とともに、データ取得部４０２に出力され、当該パックの先頭検索処理は行われず、ステップＳ２４に行く。
【０３０１】
次いで、データ解析部４０１によって、入力されたパックが先頭であるか否かが先頭情報に基づいて判断され（ステップＳ２４）、先頭の場合には、ＰＥＳエクステンション情報の削除処理は行わず、本動作を終了する。
【０３０２】
一方、当該パックが先頭のパックでないことが判断された場合には、データ解析部４０１によって取得されたＰＥＳ位置情報に基づき、データ取得部４０２によって当該パックにおけるＰＥＳエクステンション制御情報を検索し、当該パックのＰＥＳエクステンション制御情報を取得して第２演算処理部４０６に出力する（ステップＳ２５）。
【０３０３】
次いで、第２演算処理部４０６によって、取得されたＰＥＳエクステンション情報の該当する（ＶＯＢ１１３の先頭のパック）２１０における当該ＰＥＳエクステンション制御情報の値を“０”にするとともに（ステップＳ２６）、実データの値を“Ｆ”データの無効データで置換する（ステップＳ２７（パディング処理：Padding））。
【０３０４】
最後に、データ解析部４０１によって次に読み込むパックがあるか否かを判断し（ステップＳ２８）、無い場合にはＰＥＳエクステンション削除処理を終了し、次に読み込むパックがある場合には、ステップＳ２１に行く。
【０３０５】
このように、ＶＯＢの先頭以外にあるＰＥＳエクステンション情報、すなわち、ＰＥＳエクステンション制御情報および実データを無効データにすることができるので、ＰＥＳエクステンション情報をビデオ方式に準拠した情報に変換することができる。
【０３０６】
この結果、ビデオ方式によってコンテンツ情報を的確に再生することのできるフォーマット形式に変換することができるとともに、フォーマット形式の変換の際に連続したコンテンツ情報として再生出力する必要が無い、すなわち、連続する画像情報または音情報に組み立てる必要がないので、高速に、かつ、データ劣化の無いフォーマット変換を行うことができる。
【０３０７】
〔オーディオパック変換処理〕
次に、図１５、図１６を用いてオーディオパックの変換処理について説明する。
【０３０８】
なお、図１５は、本実施形態におけるオーディオパックの変換処理の原理を説明するための原理図であり、図１６は、本実施形態におけるオーディオパックの変換処理の動作を示すフローチャートである。
【０３０９】
ＤＶＤにビデオデータおよびオーディオデータを記録する際に、当該各データはデータ圧縮が為される。通常、ＭＰＥＧ２およびオーディオ圧縮、例えばＡＣ（Audio  Compression）−３は、１フレーム毎に行われるようになっているが、１フレームが１パックに該当することは希である。すなわち、当該１フレームのデータが１パックに対応することは少ない。
【０３１０】
ビデオレコーディング方式では、ビデオパック１６１には、再生などの都合上、各ビデオパック毎にＰＴＳが記録されているため、再生される際には、１フレームに該当するビデオフレームデータが２つのパックに跨って存在したとしても、当該各パック１６１毎のＰＴＳに基づいて再生するので問題が生じないが、ビデオレコーディング方式では、ＶＯＢユニット１１４毎にデータ構成を完結させればよいので、ＶＯＢユニット１１４毎に、すなわち、最後のオーディオパック１６２に無効データを追加することによってデータ調整を行い、問題を解決している。このため、オーディオパック１６２において、各パック１６２にＰＴＳが記録されない場合もあり得る。具体的には、ＶＯＢユニット１１４における最後のオーディオパックにＰＴＳが存在しないことがある。
【０３１１】
一方、ビデオ方式では、ビデオパック４２のみならず、オーディオパック４３についても、各パック４２、４３にはＰＴＳが記録されている。すなわち、ビデオ方式では、ＶＯＢの最後を除き、何れのパック４２、４３にもＰＴＳが記録されないという状態を許容していない。
【０３１２】
このような各フォーマット形式の違いのため、オーディオパック４２、１６２において、ビデオレコーディング方式のデータをビデオ方式のデータに変換するためには、ビデオレコーディング方式における各オーディオパック１６２にＰＴＳを記録する必要がある。
【０３１３】
すなわち、ビデオレコーディング方式においては、ＶＯＢの途中におけるオーディオパック１６２について、ＰＴＳが記録されていない場合もあり得るが、ビデオ方式では、ＶＯＢの最後を除き、必ず、各オーディオパックにＰＴＳを記録されていることが必要となるので、この調整を行わなければならない。
【０３１４】
本実施形態では、このデータ調整を行うため、すなわち、全てのオーディオパック１６２にＰＴＳを付加するように、ＰＴＳを有さないオーディオパック１６２に１つ前のオーディオパック１６２からＡＣ−３データを移動させてＰＴＳを与える第１の方法と、ＡＣ−３の１フレーム毎のデータを１パック毎のオーディオパック１６２に変換する第２の方法とによって変換を行っている。
【０３１５】
具体的には、第１のオーディオパック変換処理は、図１５（ａ）（ｂ）に示すように、ＡＣ−３の最後の１フレーム分のデータを最後のオーディオパックの１つ前のオーディオパックから最後のオーディオパックに移動させ、当該各パックのデータ長を一定の長さを有するように、無効データ“Ｆ”によってパディング処理を行うようになっている。
【０３１６】
ＶＯＢユニット１１４における最後のオーディオパック１６２＃（ｎ＋１）には、それのみではＡＣ−３の１フレームデータを構成しない。したがって、第１のオーディオパック変換処理では、当該パック１６２＃（ｎ＋１）が有するＡＣ−３の１フレームのデータを構成されるよう当該パック１６２＃（ｎ＋１）の１つ前のパック１６２＃ｎからＡＣ−３の当該１フレームデータ＃（ｎ＋１）における他のデータを移動させ、ＰＴＳを有さないパック１６２＃（ｎ＋１）においてＡＣ−３の１フレームデータ＃（ｎ＋１）があるように構成させるようになっている。すなわち、図１５（ｂ）に示すように、最後のオーディオパック１６２＃（ｎ＋１）にＡＣ−３のフレームデータ＃（ｎ＋１）の全てのデータを割り当てるようになっている。
【０３１７】
通常、各オーディオパック１６２には、１以上のＡＣ−３フレームデータが配されるようになっている一方、ＡＣ−３の１フレーム分のデータが与えられれば、データフォーマットの関係上、パック１６２にはＰＴＳを与えることができるようになっている。
【０３１８】
したがって、このようにＡＣ−３の１フレーム分のデータがパック１６２内にあれば、すなわち、ＡＣ−３の１フレームにおける先頭のデータがあれば、ＰＴＳがオーディオパック１６２に記録されるようになる。
【０３１９】
なお、第１のオーディオパック変換処理では、各オーディオパック１６２のデータ長を揃える必要があるため（基本的には２０４８バイト）、各パック１６２のデータ長を一定の長さを有するように、ＡＣ−３のフレームデータを移動したオーディオパック１６２＃ｎと当該移動したＡＣ−３データによって１のＡＣ−３のフレームデータが形成されたオーディオパック１６２＃（ｎ＋１）には、無効データ“Ｆ”によって埋める（以下、パディング処理という）ようになっている。
【０３２０】
また、第２のオーディオパック変換処理では、図１５（ｂ）に示すように、ＡＣ−３の１フレーム分のデータ毎に１パックのオーディオパックを作成するとともに、各オーディオパックにＰＴＳを付与し、各パックのデータ長を一定の長さを有するように、無効データ“Ｆ”によってパディング処理を行うようになっている。
【０３２１】
本実施形態では、このようなオーディオパック変換処理をデータ解析部４０１、チェック処理部４０３および第３演算処理部４０７において行うようになっている。
【０３２２】
データ解析部４０１は、基本的には上述のオフセット処理と同様に、データストリームから各パックを読み込み、先頭検索処理を行うようになっている。
【０３２３】
データ解析部４０１は、データストリームから読み込んだ各パック毎に、当該読み込んだパックがオーディオパックか否かを検出し、当該オーディオパックであることが検出された場合に、当該オーディオパックの位置を示す情報（以下、オーディオパック位置情報という）をチェック処理部４０３に出力するようになっている。
【０３２４】
チェック処理部４０３は、データ解析部４０１から出力されたオーディオパック位置情報に基づいて当該オーディオパック１６２のチェック処理を行うようになっている。ただし、チェック処理は、第１の方法と第２の方法によって変換処理が異なる。
【０３２５】
第１のオーディオパック変換処理では、チェック処理部４０３は、オーディオパックのＰＴＳを検索し、ＰＴＳの有無を検出するとともに、ＰＴＳが検出されなかった場合に、第３演算処理部４０７において当該オーディオパック１６２においてオーディオパック変換処理を行うよう指示信号を出力するようになっている。
【０３２６】
また、第２のオーディオパック変換処理では、各オーディオパック１６２におけるＡＣ−３フレームの先頭を検索し、当該ＡＣ−３フレームの先頭の位置を示す情報（以下、フレーム先頭情報をいう）を第３処理部に出力するようになっている。
【０３２７】
第３演算処理部４０７には、オフセット処理およびＰＥＳエクステンション削除処理されたデータストリームが入力されるようになっており、チェック処理部４０３から出力された指示信号またはＡＣ−３のフレーム先頭位置情報に基づいて、バッファを用いてオーディオパック１６２の変換処理を行い、マルチプレクサ４０９に出力するようになっている。
【０３２８】
具体的には、上述のように、第１の方法では、指示されたオーディオパック１６２＃（ｎ＋１）の１つ前のオーディオパック１６２＃ｎからＡＣ−３の１フレーム分の残りのデータを当該オーディオパック１６２＃（ｎ＋１）に移動させるとともに、当該オーディオパック１６２＃（ｎ＋１）および１つ前のオーディオパック１６２＃１においてデータ長分のパディング処理、すなわち、値を“Ｆ”とする無効データに置換するようになっている。
【０３２９】
また、第２の方法では、各オーディオパック１６２における各ＡＣ−３のフレーム位置情報に基づいてＡＣ−３の１のフレームデータを生成し、当該生成されたフレームデータ毎に１のオーディオパック１６２を生成するようになっている。なお、各オーディオパック１６２においてＡＣ−３のフレームデータ以外はパディング処理を行うようになっている。
【０３３０】
次に、図１６を用いてオーディオパックの変換処理の動作について説明する。
【０３３１】
なお、このオーディオパックの変換処理の動作は、図１に示す制御部３１１の指示に基づいて行われるようになっている。
【０３３２】
まず、フォーマット変換の動作開始が制御部３１１によって指示され、ドライブＩ／ＦによってＨＤＤ３０６からビデオレコーディング方式によって構成されるデータストリームの読み出しを開始すると、ＶＯＢ１１３の先頭のパックがデータ解析部４０１に入力され、当該データ解析部４０１によって当該パックの各パックヘッダまたはパケットヘッダなどの各データを検索する（ステップＳ３１）。
【０３３３】
次いで、データ解析部４０１によって、当該パックがオーディオパックであるが否かが判断されるとともに（ステップＳ３２）、当該パックがオーディオパックでない場合には、当該オーディオパックの変換処理が終了され、当該パックがオーディオパックである場合にはステップＳ３３にいく。
【０３３４】
次いで、当該パックがオーディオパックである場合にはチェック処理部４０３によって、当該オーディオパックのＰＴＳが検索され（ステップＳ３３）、当該ＰＴＳがあるか否が判断される（ステップＳ３４）。
【０３３５】
当該オーディオパックにＰＴＳがある場合には、当該オーディオパックの変換処理が終了され、当該オーディオパックにＰＴＳがない場合にはステップＳ３５に行く。
【０３３６】
次いで、当該オーディオパックにＰＴＳがない場合には、当該第３データ演算処理部によって１つ前のオーディオパックから当該オーディオパックにあるＡＣ−３のフレームデータと同じフレームデータを移動させるとともに（ステップＳ３５）、１つ前のオーディオパックおよび当該オーディオパックにオーディオデータ以外のデータのパディング処理が行われる（ステップＳ３６）。
【０３３７】
次いで、第３演算処理部４０７によって当該オーディオパックにＰＴＳを登録する（ステップＳ３７）。
【０３３８】
最後に、データ解析部４０１によって次に読み込むパックがあるか否かを判断し（ステップＳ３８）、無い場合にはオーディオパック変換処理が終了され、次に読み込むパックがある場合には、ステップＳ３１に行く。
【０３３９】
このように本実施形態では、オーディオパック変換処理を行うようになっている。
【０３４０】
なお、上述のオーディオパック変換処理は、第１の方法により説明したが、勿論、第２の方法によりオーディオパック変換処理を行ってもよく、この場合の動作を以下に示す。
【０３４１】
この場合は、ステップＳ３３、ステップＳ３４の動作に代えて、チェック処理部４０３では、各オーディオパック１６２毎に、ＡＣ−３のフレームデータ毎に当該データの位置を示す位置がチェックされ、すなわち、位置情報が取得され、ステップＳ３５、ステップＳ３６、ステップＳ３７によって、第３演算処理部４０７では、当該位置情報に基づいてＡＣ−３のフレームデータ毎にオーディオパック１６２を生成するとともに、フレームデータ以外のオーディオパック１６２にはパディング処理が行われ、ステップＳ３７に行くようになっている。
【０３４２】
このように、各オーディオパックにＰＴＳを付加することができるので、各オーディオパックをビデオ方式に準拠した情報に変換することができる。
【０３４３】
この結果、ビデオ方式によってコンテンツ情報を的確に再生することのできるフォーマット形式に変換することができるとともに、フォーマット形式の変換の際に連続したコンテンツ情報として再生出力する必要が無い、すなわち、連続する画像情報または音情報に組み立てる必要がないので、高速に、かつ、データ劣化の無いフォーマット変換を行うことができる。
【０３４４】
〔再生制御情報（ＲＤＩパック）の変換処理〕
次に、図１７、図１８を用いて再生制御情報の変換処理について説明する。
【０３４５】
なお、図１７は、ＲＤＩパック１６０の値をナビパック４１に変換する際の変換処理を説明するための図であり、図１８は、本実施形態における再生制御情報の変換処理の動作を示すフローチャートである。
【０３４６】
ビデオ方式とビデオレコーディング方式とは、上述のように、再生用でＶＯＢ１０単位で再生、編集が為されるビデオ方式と、ＶＯＢユニット１１４単位で再生編集が行われるビデオレコーディング方式とによって各ＶＯＢユニット３０、１１４におけるビデオパック４２、１６１またはオーディオパック４３、１６２の再生出力制御または記録編集制御を行う制御データのデータ構成が異なる。すなわち、ビデオ方式の制御データであるナビパック４１と、ビデオレコーディング方式の制御データであるＲＤＩパック１６０との違いがある。
【０３４７】
具体的には、ビデオ方式のナビパック４１は、図３に示すように、ＰＣＩデータとＤＳＩデータとから構成されている一方、ビデオレコーディング方式のＲＤＩパック１６０は、図７に示すように、ＲＤＩデータから構成されている。
【０３４８】
このような各フォーマット形式の違いのため、ビデオレコーディング方式のデータをビデオ方式のデータに変換するためには、常に、所定のデータ変換を行う必要がある。
【０３４９】
具体的には、図１７に示すように、ナビパック４１におけるパックヘッダ５２、システムヘッダ５３およびＶＯＢユニット開始時刻情報７３には、ＲＤＩパック１６０の値を設定するとともに、論理アドレス情報はＲＤＩパック１６０の論理的な位置情報から演算して算出し、その他の値については、データストリームおよび予め制御部３１１によって決められた値を設定するようになっている。
【０３５０】
より具体的には、パックヘッダ５２には、ＳＣＲ値を除くＲＤＩパック１６０におけるパックヘッダ１７０の値を設定し、システムヘッダ５３およびＶＯＢユニット開始時刻情報７３には、ＲＤＩパック１６０におけるシステムヘッダ１７１およびＶＯＢＵ再生開始時刻情報１８０の値をそのまま設定するようになっている。
【０３５１】
また、ＰＣＩパケットデータ５０では、パケットヘッダ５４にはビデオ方式の規格で定められた値を設定するとともに、著作権情報７１、ＶＯＢＵユーザ制御情報７２、アングル情報５６、ハイライト情報５７および記録情報５８には、固定値として、それぞれ、コピーフリーの値、ユーザ制限を加えない旨の値、マルチアングルが無い旨の値、ハイライトが無い旨の値および予め定められた値を設定するようになっており、ＶＯＢＵ終了時刻制限情報７５は、当該終了時刻制限情報が無い場合には予め定められた固定値を、ある場合には再生終了時刻を設定するようになっている。
【０３５２】
また、エンドコードＶＯＢＵ終了時刻情報７４、ナビパック相対時間情報は、データストリームから参照して算出するようになっている。
【０３５３】
一方、ＤＳＩパケットデータ５１では、一般情報８０、ＶＯＢ開始時刻情報８５およびＶＯＢ終了時刻情報８６、ＶＯＢＵサーチ情報８３および同期再生用アドレス情報８４は、データストリームから参照して算出するようになっており、他情報８７およびアングル情報８２には、予め定められた固定値を設定するようになっている。
【０３５４】
本実施形態では、このような再生制御情報のデータ変換処理を行うため、すなわち、ＲＤＩパック１６０をナビパック４１に変換するために、読み出したＲＤＩパック１６０に基づいてデータストリームを参照しつつナビパック４１を生成する第１の再生制御情報変換処理と、予め一定のデータ値（予め制御部３１１によってデータストリームを参照することによって生成されたデータ）が組み込まれたナビパック４１を用意し、読み出したＲＤＩパック１６０の情報を組み込んでいく第２の再生制御情報の変換処理とによって変換を行うようになっている。
【０３５５】
本実施形態では、このような再生制御情報変換処理をデータ解析部４０１、ＲＤＩデータ取得部４０４、演算部４０８および第２バッファ４１１において行うようになっている。
【０３５６】
データ解析部４０１は、データストリームから読み込んだ各パック毎に、当該読み込んだパックがＲＤＩパック１６０か否かを検出し、当該ＲＤＩパック１６０であることが検出された場合に、当該ＲＤＩパック１６０の位置を示す情報（以下、ＲＤＩ位置情報という）をＲＤＩデータ取得情報に出力するようになっている。
【０３５７】
ＲＤＩデータ取得部４０２には、データストリームおよびＲＤＩ位置情報が入力されるようになっており、ＲＤＩデータ取得部４０４は、このデータ解析部４０１から出力されたＲＤＩパック位置情報に基づいて当該ＲＤＩパック１６０のデータの取得を行うようになっている。
【０３５８】
具体的には、ＲＤＩデータ処理部は、上述のように、ＲＤＩパック１６０からナビパック４１に変換する際に必要となるデータは、パックヘッダ１７０、システムヘッダ１７１およびＶＯＢユニット開始時刻情報１８０であるので、当該パックヘッダ１７０、システムヘッダ１７１およびＲＤＩ一般情報１８０を取得して演算部４０８に出力するようになっている。
【０３５９】
演算部４０８には、ＲＤＩパック１６０のＲＤＩ一般情報とデータストリームが入力されるようになっており、この演算部４０８は、データストリームを取得して上述の各値を演算するとともに、論理アドレス情報を算出して第２バッファ４１１に出力するようになっている。
【０３６０】
第２バッファ４１１には、予め制御部３１１によって設定されたデータまたは演算部４０８によって算出されたデータが書き込まれるようになっており、この第２バッファ４１１においてナビパック４１が生成されるようになっている。
【０３６１】
なお、上述したように、ナビパックを生成する方法としては２つの方法があり、例えば、読み出したＲＤＩパック１６０に基づいてナビパック４１を生成する第１の再生制御情報変換方法では、上述のように演算部４０８によって生成されたデータによってナビパック４１が生成されるようになっている。
【０３６２】
また、第２の再生制御情報変換方法では、当該バッファ４１１に、予め制御部３１１によって生成され、一定のデータ値が組み込まれたナビパック４１を格納しておき、演算部４０８によって算出された所定のデータを当該ナビパック４１に組み込むようになっている。
【０３６３】
また、第２バッファ４１１は、生成したナビパック４１を、ナビパック４１毎にマルチプレクサ４０９に出力するようになっている。
【０３６４】
マルチプレクサ４０９は、第３演算処理部４０７から出力された、すなわち、時間情報の変換処理、ＰＥＳエクステンション削除処理およびオーディオパック変換処理が為されたデータストリームと、第２バッファ４１１によって変換されたナビパック４１が入力されるようになっており、制御部３１１の指示に基づいてデータストリームにおけるＲＤＩパック１６０のデータに、該当する変換されたナビパック４１の置換処理を行い、ＤＶＤ−Ｒ／ＲＷドライブ３０５に出力するようになっている。
【０３６５】
次に、図１８を用いて再生制御情報変換処理の動作について説明する。
【０３６６】
なお、この再生制御情報変換処理の動作は、図１に示す制御部３１１の指示に基づいて行われるようになっている。
【０３６７】
まず、制御部３１１によってナビパック４１の生成の基準となるデータを第２バッファ４１１に書き込む（ステップＳ４１）。
【０３６８】
次いで、フォーマット変換の動作開始が制御部３１１によって指示され、ドライブＩ／ＦによってＨＤＤ３０６からビデオレコーディング方式によって構成されるデータストリームの読み出しを開始すると、ＶＯＢ１１３の先頭のパックがデータ解析部４０１に入力され、当該データ解析部４０１によって当該パック２１０の各パックヘッダ２１１またはパケットヘッダ２０１などの各データを検索する（ステップＳ４２）。
【０３６９】
次いで、データ解析部４０１によって検索結果に基づいて当該読み込んだパックがＲＤＩパック１６０か否かが判断され（ステップＳ４３）、当該ＲＤＩパック１６０であることが検出されなかった場合には本動作を終了し、ＲＤＩパック１６０であることが検出されなかった場合には、当該ＲＤＩ位置情報がＲＤＩデータ取得情報に出力し、ステップＳ４４に行く。
【０３７０】
次いで、ＲＤＩデータ取得部４０２によって、入力されたデータストリームおよびＲＤＩ位置情報に基づいてＲＤＩ一般情報１７４が取得されるとともに、演算部４０８によって当該ＲＤＩ一般情報１７４およびデータストリームに基づいて上述のようにナビパック４１のデータを生成する（ステップＳ４４）。
【０３７１】
次いで、制御部３１１によって当該データストリームなどから算出された所定の設定データを第２バッファ４１１に書き込む（ステップＳ４５）。
【０３７２】
次いで、当該書き込まれたデータと演算部４０８によって算出されたナビパック４１のデータに基づいてナビパック４１を生成し、当該生成されたナビパック４１をマルチプレクサ４０９において出力するとともに、マルチプレクサ４０９によって入力されたデータストリームにおけるＲＤＩパック１６０を当該ナビパック４１に置換処理する（ステップＳ４６）。
【０３７３】
最後に、データ解析部４０１によって次に読み込むパック２１０があるか否かを判断し（ステップＳ４７）、無い場合には再生制御情報（ＲＤＩパック）の変換処理が終了され、次に読み込むパック２１０がある場合には、ステップＳ４１に行く。
【０３７４】
このように、ＲＤＩパック１６０をナビパック４１に変換することができるので、再生する際の各データパックの制御情報をビデオ方式に準拠した情報に変換することができる。
【０３７５】
この結果、ビデオ方式によってコンテンツ情報を的確に再生することのできるフォーマット形式に変換することができるとともに、フォーマット形式の変換の際に連続したコンテンツ情報として再生出力する必要が無い、すなわち、連続する画像情報または音情報に組み立てる必要がないので、高速に、かつ、データ劣化の無いフォーマット変換を行うことができる。
【０３７６】
〔変換記録処理〕
次に、図１９を用いてデータストリームの変換記録処理について説明する。
【０３７７】
なお、図１９は、データストリームの変換記録処理の動作を示すフローチャートである。
【０３７８】
また、当該変換記録処理は、制御部３１１によって各部を制御して行われるようになっており、変換記録されるＶＯＢが既に設定されているとする。
【０３７９】
まず、ユーザなどにより図示しない操作部を介してフォーマット変換して図示しないＤＶＤにデータを記録するよう指示が入力されると、インターフェース３０７によってＨＤＤ３０６からフォーマット変換部４００にデータストリームを読み出す（ステップＳ５１）。
【０３８０】
次いで、フォーマット変換装置４００によって、各パック毎またはＶＯＢユニット１１４毎に、以下の処理を行う。
【０３８１】
まず、各パックにおけるタイムスタンプ情報の変換処理（オフセット処理）を行い（ステップＳ５２）、各パックにおけるＰＥＳエクステンション情報の削除処理を行う（ステップＳ５３）。
【０３８２】
次いで、各ＶＯＢユニット１１４のオーディオパックの変換処理を行うとともに（ステップＳ５４）、再生制御情報（ＲＤＩパック）の変換処理を行う（ステップＳ５５）。
【０３８３】
最後に、パック毎若しくはＶＯＢユニット１１４毎、または、ＶＯＢ毎にインターフェース３０７によってビデオ方式に変換されたデータストリームをＤＶＤ−Ｒ／ＲＷドライブ３０５に出力され、ＤＶＤ−Ｒ／ＲＷドライブ３０５によって図示しないＤＶＤにビデオ方式のデータストリームが書き込まれる（ステップＳ５６）。
【０３８４】
以上により本実施形態によれば、フォーマット変換処理部４００により、ビデオレコーディング方式により記録されているデータストリームに、時間情報の変換処理（オフセット処理）、ＰＥＳエクステンション情報の削除処理、オーディオパック変換処理および再生制御情報（ＲＤＩパック）の変換処理を行うことによってビデオ方式のデータストリームに変換することができるとともに、コンテンツ情報として各ＶＯＢまたはＶＯＢユニットを組み立てることなく、当該コンテンツ情報の符号方式を維持しつつ変換可能であるので、高速に、かつ、データ劣化の無いフォーマット変換を実現することができる。
【０３８５】
すなわち、ビデオレコーディング方式におけるコンテンツ情報をビデオ方式に準拠したコンテンツ情報に変換することができるので、ビデオ方式によってコンテンツ情報を的確に再生することのできるフォーマット形式に変換することができる。
【０３８６】
なお、上述の説明では、各変換処理および削除処理毎に、データ解析部４０１の説明をしたが、このデータ解析部４０１は、各変換処理および削除処理におけるパックの解析を一度に行うようにしてもよい。
【０３８７】
また、本実施形態では、上述したようなフォーマット変換部４００において、各パックにおけるタイムスタンプ情報の変換処理（オフセット処理）、ＰＥＳエクステンション情報の削除処理、オーディオパックの変換処理、および、再生制御情報（ＲＤＩパック）の変換処理を行うようになっているが、フォーマット変換部４００をコンピュータおよびメモリなどの記録装置によって構成し、上述の各変換処理または削除処理を行うプログラムを当該メモリに格納するとともに、この各プログラムをコンピュータによって読み出すことにより当該各動作を行うようにしてもよい。
【０３８８】
さらに、当該各変換処理または削除処理を行うプログラムをＣＤなどの記録媒体に格納し、上述の各変換処理または削除処理を行う際に、当該記録媒体からこの各プログラムを読み出し、コンピュータによって各変換処理または削除処理を行うようにしてもよい。
【０３８９】
【発明の効果】
以上説明したように、本願発明によれば、コンテンツ情報の内容を同一としつつ、符号化形式を維持した状態で記録用の第１フォーマット形式から再生用の第２フォーマット形式に変換することができるので、フォーマット形式の変換の際に連続したコンテンツ情報として再生出力する必要が無い、すなわち、連続する画像情報または音情報に組み立てる必要がなく、高速に、かつ、データ劣化の無いフォーマット変換を行うことができる。
【図面の簡単な説明】
【図１】ＤＶＤビデオ規格（ビデオ方式）における物理的記録フォーマットを示す図（Ｉ）である。
【図２】ＤＶＤビデオ規格（ビデオ方式）におけるＧＯＰの構成を示す図である。
【図３】ＤＶＤビデオ規格（ビデオ方式）における物理的記録フォーマットを示す図（II）である。
【図４】ＤＶＤビデオ規格（ビデオ方式）における論理フォーマットを示す図である。
【図５】ＤＶＤの記録規格（ビデオレコーディング方式）における物理フォーマットを示す図（Ｉ）である。
【図６】ＤＶＤの記録規格（ビデオレコーディング方式）における物理フォーマットを示す図（II）である。
【図７】ＤＶＤの記録規格（ビデオレコーディング方式）における物理フォーマットを示す図（III）である。
【図８】ＤＶＤの記録規格（ビデオレコーディング方式）における論理フォーマットを示す図である。
【図９】ＤＶＤビデオ規格（ビデオ方式）およびＤＶＤの記録規格（ビデオレコーディング方式）におけるパケットの構成を示す図である。
【図１０】本発明に係る情報記録再生装置の基本構成を示す構成図である。
【図１１】本発明に係る情報記録再生装置のインターフェースにあるフォーマット変換部の構成を示す構成図である。
【図１２】本実施形態における時間情報の変換処理（オフセット処理）を説明するための原理図である。
【図１３】本実施形態における時間情報の変換処理の動作を示すフローチャートである。
【図１４】本実施形態におけるＰＥＳエクステンション情報の削除処理の動作を示すフローチャートである。
【図１５】本実施形態におけるオーディオパックの変換処理の原理を説明するための原理図である。
【図１６】本実施形態におけるオーディオパックの変換処理の動作を示すフローチャートである。
【図１７】本実施形態におけるＲＤＩパック１６０の値をナビパック４１に変換する際の変換処理を説明するための図である。
【図１８】本実施形態における再生制御情報の変換処理の動作を示すフローチャートである。
【図１９】本実施形態における変換記録処理の動作を示すフローチャートである。
【符号の説明】
１、１０１…ＤＶＤ
２…ビデオマネージャ
３、６３…ＶＴＳ
１０、１１３…ＶＯＢ
１１…コントロールデータ
２０、１９１…セル
３０、１１４…ＶＯＢユニット
４１…ナビパック
４２、１６１…ビデオデータ（ビデオパック）
４３、１６２…オーディオデータ（オーディオパック）
４４…サブピクチャデータ
５０…ＰＣＩパケットデータ
５２…パックヘッダ
５３…システムヘッダ
５４…パケットヘッダ
５５、８０…一般情報
５６、８２…アングル情報
５７…ハイライト情報
５８…記録情報
６０、１９０…プログラム
６１、６１Ａ、６１Ｂ…ＰＧＣ
６２…タイトル
７０…論理アドレス情報
７１…著作権情報
７２…ＶＯＢＵユーザ制御情報
７３、１８０…ＶＯＢＵ開始時刻情報
７４…ＶＯＢＵ終了時刻情報
７５…ＶＯＢＵ終了時刻制限情報
７６、８８…ナビパック相対位置情報
８１…ＶＯＢ情報
８３…ＶＯＢＵサーチ情報
８４…同期再生用アドレス情報
８５…ＶＯＢ開始時刻情報
８６…ＶＯＢ終了時刻情報
８７、９０…他情報
８９…ＶＯＢＵ識別番号
１０２…データエリア
１１０…ファイルシステム情報エリア
１１１…ナビゲーション情報エリア
１１２…オブジェクト記録エリア
１２０…ナビゲーション総合情報
１２１…オブジェクトファイル情報デーブル
１２２…オブジェクト記録シーケンス情報
１２３…設定シーケンス情報
１２４…他のナビゲーション情報
１３０…ナビゲーション情報管理情報
１３１…再生リストポインタテーブル
１３２…オブジェクトファイル属性情報
１３３…オブジェクトファイル情報
１３４…再生リスト総合情報
１３５…再生リストポインタ
１４０…オブジェクトファイル総合情報
１４１…オブジェクトサーチポインタ
１４２…オブジェクト情報
１５０…オブジェクト一般情報
１５１…オブジェクトユニット情報
１６０…ＲＤＩパック
１７０、２１１…パックヘッダ
１７１、２１２…システムヘッダ
１７２、２０１…パケットヘッダ
１７３…ＲＤＩデータ
１７４…ＲＤＩ一般情報
１７５…制御情報
１８１…ＶＯＢＵ記録時間情報
１８２…ステイタス情報
１８３…表示制御情報
１８４…著作権情報
１９２…定義セル
２００…ＰＥＳパケット
２０２…パケットデータ
３００…情報記録再生装置
３０１…Ｐ／Ｎデコーダ
３０２…オーディオＡＤＣ
３０３…ＡＶデータ処理部
３０４…ＡＶエンコーダ
３０５…ＤＶＤ−Ｒ／ＲＷドライブ
３０６…ＨＤＤ
３０７…インターフェース（フォーマット変換装置）
３０８…ＡＶデコーダ
３０９…Ｐ／Ｎエンコーダ
３１０…オーディオＤＡＣ
３１１…制御部
３１２…メモリ
４００…フォーマット変換処理部（変換手段）
４０１…データ解析部（検出手段）
４０２…データ取得部（取得手段）
４０３…チェック処理部
４０４…ＲＤＩデータ取得部
４０５…第１演算処理部（設定手段）
４０６…第２演算処理部
４０７…第３演算処理部（付加手段）
４０８…演算部
４０９…マルチプレクサ
４１０…第１バッファ
４１１…第２バッファ
ＬＩ…リードインエリア
ＬＯ…リードアウトエリア
【図１】
0004197230.tif 000002
【図２】
0004197230.tif 000003
【図３】
0004197230.tif 000004
【図４】
0004197230.tif 000005
【図５】
0004197230.tif 000006
【図６】
0004197230.tif 000007
【図７】
0004197230.tif 000008
【図８】
0004197230.tif 000009
【図９】
0004197230.tif 000010
【図１０】
0004197230.tif 000011
【図１１】
0004197230.tif 000012
【図１２】
0004197230.tif 000013
【図１３】
0004197230.tif 000014
【図１４】
0004197230.tif 000015
【図１５】
0004197230.tif 000016
【図１６】
0004197230.tif 000017
【図１７】
0004197230.tif 000018
【図１８】
0004197230.tif 000019
【図１９】
0004197230.tif 000020